(57)【特許請求の範囲】
【請求項１】
サイマル放送における現行方式ストリームに対応する現行方式イベント情報と、新方式ストリームに対応する新方式イベント情報とを保持している保持手段と、
前記現行方式イベント情報と、前記新方式イベント情報を送信する送信手段を備え、
前記現行方式イベント情報には、前記新方式ストリームへのアクセスに係る新方式アクセス情報が記述されており、
前記新方式イベント情報には、前記現行方式ストリームへのアクセスに係る現行方式アクセス情報が記述されており、
前記新方式イベント情報内において、
前記新方式ストリームへのアクセスに関する情報は、前記現行方式アクセス情報よりも後に記述されている
ことを特徴とする送信装置。
【請求項２】
前記現行方式ストリームは２Ｄ方式のストリームであり、前記新方式ストリームは３Ｄ方式のストリームである
ことを特徴とする請求項１に記載の送信装置。
【請求項３】
前記現行方式ストリームはＦｕｌｌ  ＨＤの解像度を有するストリームであり、前記新方式ストリームは前記Ｆｕｌｌ  ＨＤの解像度を上回る解像度を有するストリームである
ことを特徴とする請求項１に記載の送信装置。
【請求項４】
前記新方式イベント情報が、前記現行方式イベント情報を参照することによって、前記現行方式ストリームで表される現行方式イベントと前記新方式ストリームで表される新方式イベントとはイベント共有関係にある
ことを特徴とする請求項１から３のいずれか１項に記載の送信装置。
【請求項５】
前記新方式ストリームは、ＭＰＥＧ２−ＴＳ形式のストリームであり、
前記新方式イベント情報は、ＥＩＴ（Ｅｖｅｎｔ  Ｉｎｆｏｒｍａｔｉｏｎ  Ｔａｂｌｅ）であり、
前記送信手段は、前記新方式ストリームと、前記ＥＩＴとが多重化されたデータストリームを送信する
ことを特徴とする請求項１から４のいずれか１項に記載の送信装置。
【請求項６】
前記データストリームには、当該データストリーム中の３Ｄ用ストリームにおける各フレームの再生方式について、１つの視点の映像から構成されているフレームの再生方式であるか、複数の視点の各映像からなるフレームの再生方式であるかを示す３Ｄ再生方式情報が含まれる
ことを特徴とする請求項５に記載の送信装置。
【請求項７】
配信されたストリームを受信し、Ｆｕｌｌ  ＨＤの解像度で映像の再生を行う受信再生装置であって、
ユーザからの操作により受信再生すべきストリームの選択を受け付ける受付手段と、
Ｆｕｌｌ  ＨＤの解像度を有する現行方式ストリーム及び前記Ｆｕｌｌ  ＨＤの解像度を上回る解像度を有する新方式ストリームによるサイマル放送が配信されているか否かを判別するためのサイマル放送判別情報を受信する受信手段と、
前記受付手段が受信再生すべきストリームとして新方式ストリームの選択を受け付けた場合、前記サイマル放送判別情報を用いて当該新方式ストリームに対応する現行方式ストリームがサイマル放送として配信されているか否かを判断する判断手段と、
前記判断手段の判断結果が肯定的である場合には、前記サイマル放送における現行方式ストリームを用いてＦｕｌｌ  ＨＤの解像度の映像の再生を行い、前記判断手段の判断結果が否定的である場合には、前記サイマル放送における新方式ストリームでＦｕｌｌ  ＨＤの解像度で映像表示するよう再生を行う再生手段とを備える
ことを特徴とする受信再生装置。
【請求項８】
前記サイマル放送判別情報は、ＭＰＥＧ２−ＴＳ形式のデータストリームに含まれる前記新方式ストリームに対応するＥＩＴ（Ｅｖｅｎｔ  Ｉｎｆｏｒｍａｔｉｏｎ  Ｔａｂｌｅ）であり、
前記ＥＩＴには、現行方式ストリーム及び新方式ストリームによるサイマル放送が提供される場合には、当該サイマル放送における現行方式ストリームへのアクセスに係る現行方式アクセス情報が記載されており、
前記判断手段は、前記ＥＩＴに前記現行方式アクセス情報が記載されているか否かを判断し、
前記再生手段は、前記判断手段で前記ＥＩＴに前記現行方式アクセス情報が記載されていると判断される場合には前記現行方式アクセス情報を用いて前記現行方式ストリームにアクセスし、前記判断手段で前記ＥＩＴに前記現行方式アクセス情報が記載されていないと判断される場合には前記新方式ストリームにアクセスする
ことを特徴とする請求項７に記載の受信再生装置。
【請求項９】
配信されたストリームを受信し、２Ｄ映像の再生を行う受信再生装置であって、
ユーザからの操作により受信再生すべきストリームの選択を受け付ける受付手段と、
２Ｄ用ストリーム及び３Ｄ用ストリームによるサイマル放送が配信されているか否かを判別するためのサイマル放送判別情報を受信する受信手段と、
前記受付手段が受信再生すべきストリームとして３Ｄ用ストリームの選択を受け付けた場合、前記サイマル放送判別情報を用いて当該３Ｄ用ストリームに対応する２Ｄ用ストリームがサイマル放送として配信されているか否かを判断する判断手段と、
前記判断手段の判断結果が肯定的である場合には、前記サイマル放送における２Ｄ用ストリームの再生を行い、前記判断手段の判断結果が否定的である場合には、前記サイマル放送における３Ｄ用ストリームで２Ｄ表示するよう再生を行う再生手段とを備え、
前記サイマル放送判別情報は、ＭＰＥＧ２−ＴＳ形式のデータストリームに含まれる前記３Ｄ用ストリームに対応するＥＩＴ（Ｅｖｅｎｔ  Ｉｎｆｏｒｍａｔｉｏｎ  Ｔａｂｌｅ）であり、
前記ＥＩＴには、２Ｄ用ストリーム及び３Ｄ用ストリームによるサイマル放送が提供される場合には、当該サイマル放送における３Ｄ用ストリームへのアクセスに係る３Ｄ用アクセス情報、及び当該サイマル放送における２Ｄ用ストリームへのアクセスに係る２Ｄ用アクセス情報の双方が記載されており、
前記判断手段は、前記ＥＩＴに２Ｄ用アクセス情報が記載されているか否かを判断し、
前記再生手段は、前記判断手段で前記ＥＩＴに２Ｄ用アクセス情報が記載されていると判断される場合には前記２Ｄ用アクセス情報を用いて前記２Ｄ用ストリームにアクセスし、前記判断手段で前記ＥＩＴに２Ｄ用アクセス情報が記載されていないと判断される場合には前記３Ｄ用アクセス情報を用いて前記３Ｄ用ストリームにアクセスし、
前記判断手段は、前記判断に先立って、前記３Ｄ用ストリームにおける各フレームが、１つの視点の映像から構成されているか、複数の視点の各映像から構成されているかを判断し、
前記再生手段は、前記３Ｄ用ストリームにおける各フレームが１つの視点の映像から構成されていると判断される場合、前記３Ｄ用ストリームに対応する２Ｄ用ストリームがサイマル放送として配信されているかにかかわらず、前記３Ｄ用ストリームを２Ｄ表示するよう再生する
ことを特徴とする受信再生装置。
【請求項１０】
サイマル放送における現行方式ストリームに対応する現行方式イベント情報と、新方式ストリームに対応する新方式イベント情報とを保持している保持手を有する送信装置で用いられる送信方法であって、
前記現行方式イベント情報と、前記新方式イベント情報を送信する送信ステップを含み、
前記現行方式イベント情報には、前記新方式ストリームへのアクセスに係る新方式アクセス情報が記述されており、
前記新方式イベント情報には、前記現行方式ストリームへのアクセスに係る現行方式アクセス情報が記述されており、
前記新方式イベント情報内において、
前記新方式ストリームへのアクセスに関する情報は、前記現行方式アクセス情報よりも後に記述されている
ことを特徴とする送信方法。
【請求項１１】
配信されたストリームを受信し、現行方式映像の再生を行う受信再生装置で用いられる受信再生方法であって、
ユーザからの操作により受信再生すべきストリームの選択を受け付ける受付ステップと、
Ｆｕｌｌ  ＨＤの解像度を有する現行方式ストリーム及び前記Ｆｕｌｌ  ＨＤの解像度を上回る解像度を有する新方式ストリームによるサイマル放送が配信されているか否かを判別するためのサイマル放送判別情報を受信する受信ステップと、
前記受付ステップが受信再生すべきストリームとして新方式ストリームの選択を受け付けた場合、前記サイマル放送判別情報を用いて当該新方式ストリームに対応する現行方式ストリームがサイマル放送として配信されているか否かを判断する判断ステップと、
前記判断ステップの判断結果が肯定的である場合には、前記サイマル放送における現行方式ストリームを用いてＦｕｌｌ  ＨＤの解像度の映像の再生を行い、前記判断ステップの判断結果が否定的である場合には、前記サイマル放送における新方式ストリームでＦｕｌｌ  ＨＤの解像度で映像表示するよう再生を行う再生ステップとを含む
ことを特徴とする受信再生方法。
【発明の詳細な説明】
【技術分野】
【０００１】
本発明は、同一内容の番組について２Ｄ用のストリーム及び３Ｄ用のストリームの双方を送信する装置、及び受信し再生する装置に関するものである。
【背景技術】
【０００２】
テレビ放送におけるデジタル化移行がすすみ、放送内容もより高画質化するとともに、新たに３Ｄ視聴方式の番組（以下、３Ｄ番組という。）も出てきている。３Ｄ番組では、サイドバイサイド（ＳＢＳ）方式と呼ばれる３Ｄ映像の再生方式が主に利用されている（特許文献１参照）。【０００３】
ＳＢＳ方式とは、左目用映像と右目用映像をそれぞれ水平方向に１／２に圧縮した映像を２つ横に並べた１枚の画像が放送局側（送信装置）から送信され、３Ｄ映像の再生が可能な受信機側（デジタルテレビ）において、受信した画像を左目用映像と右目用映像に分割し、左右の映像をそれぞれ引き伸ばして交互に再生（表示）する方式である。【０００４】
ＳＢＳ方式では、２つの映像（左目用映像、右目用映像）をそれぞれ水平方向に１／２に圧縮しているため、３Ｄ映像として視聴する場合には原理上Ｈａｌｆ  ＨＤの解像度でしか見ることができない。【０００５】
そこで、３Ｄ映像をＦｕｌｌ  ＨＤの解像度で視聴可能とするための方式として、左目用映像と右目用映像をそれぞれＦｕｌｌ  ＨＤで独立に送出する方法がある。ただし、この方式では、独立した２つの映像ストリームを送出することは非常に多くの伝送帯域を必要とする。この方式として、例えば、ＭＰＥＧ４−ＭＶＣ（Ｍｕｌｔｉｖｉｅｗ  Ｖｉｄｅｏ Ｃｏｄｉｎｇ）方式がある（以下、ＭＶＣ方式という。）。ＭＶＣ方式では、３Ｄの右目用映像が左目用映像と相関が大きいことを利用して、効率よい圧縮を行うので、Ｆｕｌｌ  ＨＤの３Ｄ映像を有効な帯域内で効率よく伝送できる。そのため、３Ｄ番組の配信する際の再生方式として有望視されている。【０００６】
今後、デジタルテレビ放送において３Ｄ番組が増加し、各家庭においても３Ｄ番組を視聴可能な３Ｄ対応デジタルテレビが普及する可能性がある。
【先行技術文献】
【特許文献】
【０００７】
【特許文献１】日本特許第３７８９７９４号公報
【発明の概要】
【発明が解決しようとする課題】
【０００８】
しかしながら、現状では、全ての家庭において、３Ｄ番組の視聴環境が整っているわけではないので、３Ｄ番組が放送されても、３Ｄの視聴環境を有さない視聴者は、立体視表示された番組を視聴できない。【０００９】
そこで、本発明は、同一内容の番組について視聴者の視聴環境に応じた再生を可能とする送信装置、受信再生装置、送信方法及び受信再生方法を提供することを目的とする。
【課題を解決するための手段】
【００１０】
上記目的を達成するために、送信装置は、サイマル放送における３Ｄ用ストリームへのアクセスに係る３Ｄ用アクセス情報、及び当該サイマル放送における２Ｄ用ストリームへのアクセスに係る２Ｄ用アクセス情報の双方を保持している保持手段と、前記３Ｄ用アクセス情報、及び前記２Ｄ用アクセス情報の双方を送信する送信手段とを備えることを特徴とする。
【発明の効果】
【００１１】
上記構成によると、送信装置は、サイマル放送における３Ｄ用アクセス情報及び２Ｄ用アクセス情報の双方を出力する。そのため、２Ｄストリームの再生を行う装置では２Ｄ用アクセス情報を、３Ｄ用ストリームの再生を行う装置では３Ｄ用アクセス情報を、それぞれ利用することで、自身の視聴環境に応じた再生を行うことができる。
【図面の簡単な説明】
【００１２】
【図１】番組配信システム１０の構成を示す図である。
【図２】送信装置１００の構成を示すブロック図である。
【図３】ＴＳ３００に含まれるＳＤＴ３０１の記述例を示す図である。
【図４】ＴＳ３００に含まれるＥＩＴ３０２、３０３１の記述例を示す図である。
【図５】デジタルテレビ（受信再生装置）２００の構成を示すブロック図である。
【図６】番組情報管理部２０３の構成を示すブロック図である。
【図７】番組情報テーブルＴ１００のデータ構造の一例を示す図である。
【図８】受信再生装置２００で表示されるＥＰＧ４００の一例を示す図である。
【図９】送信装置１００の動作を示す流れ図である。
【図１０】受信再生装置２００の動作を示す図である。
【図１１】サイマル放送における２つの番組が個別のＴＳ（ＴＳ１３００ａ、ＴＳ１３００ｂ）により配信される場合におけるＳＤＴ１３０１ａ、ＳＤＴ１３０１ｂの記述例を示す図である。
【図１２】サイマル放送における２つの番組が個別のＴＳ（ＴＳ１３００ａ、ＴＳ１３００ｂ）により配信される場合におけるＥＩＴ１３０２ａ、ＥＩＴ１３０３ｂの記述例を示す図である。
【図１３】ＴＳ２３００に含まれるＥＩＴ３０２、３０３１についてイベント共有の記述を用いた場合の番組情報について説明する図である。
【図１４】（ａ）は記述子２３４２を解釈した場合におけるＥＰＧ５００の表示例を示し、（ｂ）は記述子２３３１、２３４１を解釈した場合におけるＥＰＧ５５０の表示例を示す図である。
【図１５】受信再生装置２００で表示されるＥＰＧ６００の一例を示す図である。
【図１６】受信再生装置２００で表示されるＥＰＧ６５０の一例を示す図である。
【図１７】リレー放送時を示す第１の番組情報７００、及び第２の番組情報７１０それぞれの記述内容を示す図である。
【発明を実施するための形態】
【００１３】
１．本発明の基礎となった知見
上述したように、各家庭においても３Ｄ番組を視聴可能な３Ｄ対応デジタルテレビが普及してきているが、全ての家庭が３Ｄ番組を視聴可能な環境ではない。
【００１４】
３Ｄの視聴環境を有していないデジタルテレビでは、ユーザ操作により視聴すべき番組として３Ｄ番組が選択された場合、３Ｄ番組として放送された各映像を２Ｄ表示のよる再生を行うこととなる。
【００１５】
例えば、ＳＢＳ方式による３Ｄ番組を、３Ｄ映像再生に非対応である、通常の２Ｄ再生のデジタルテレビで再生する場合には、受信した画像が左目用映像と右目用映像とに分割することなく、当該左目用映像と当該右目用映像が横並びになった映像が映し出される。または、受信した画像が左目用映像と右目用映像とに分割し、どちらか一方の映像（例えば左目用映像）を水平方向に２倍して表示することが考えられる。
【００１６】
しかしながら、上述したように、ＳＢＳ方式では、２つの映像（左目用映像、右目用映像）をそれぞれ水平方向に１／２に圧縮しているため、解像度はＦｕｌｌ  ＨＤの解像度の１／２である。そのため、前者の方法では、本来の映像を１／２に圧縮変形された映像をユーザに見せることになり、一方後者の方法は、引き伸ばされた解像度の劣化した映像をユーザが視聴することとなる。いずれの場合も、本来ユーザの視聴環境で見られるべきＦｕｌｌ  ＨＤの２Ｄ映像を提供することができない。
【００１７】
視聴者においては、本来の解像度（Ｆｕｌｌ  ＨＤ）で視聴したいと思うのが常である。例えば、３Ｄの視聴環境を有さない視聴者は、３Ｄ番組として放送された番組を、３Ｄ映像としてではなく、２Ｄの映像として視聴したいというケースが考えられる。そのため、３Ｄ放送に非対応のテレビの視聴者に対しては、従来どおり２Ｄ映像のコンテンツを視聴できるように放送することが、放送側のサービスとして求められる。
【００１８】
そこで、発明者らが鋭意検討し、同一内容の番組について視聴者の視聴環境に応じた再生を可能とする、本発明に至った。
【００１９】
本発明の一態様によれば、送信装置は、サイマル放送における３Ｄ用ストリームへのアクセスに係る３Ｄ用アクセス情報、及び当該サイマル放送における２Ｄ用ストリームへのアクセスに係る２Ｄ用アクセス情報の双方を保持している保持手段と、前記３Ｄ用アクセス情報、及び前記２Ｄ用アクセス情報の双方を送信する送信手段とを備えることを特徴とする。
【００２０】
２．第１の実施の形態
以下、図面を参照しながら、本実施の形態について詳細に説明する。
【００２１】
２．１  概要
本実施の形態に係る番組配信システム１０は、図１に示すように、送信装置１００と、デジタルテレビ（受信再生装置）２００とから構成される。
【００２２】
デジタルテレビ放送では、送信装置１００（放送局）からの放送信号は、ＭＰＥＧシステム規格によって規定されるトランスポートストリーム（ＴＳ）形式で映像・音声ストリームおよび番組配列情報が多重化されて送出される。ここで、番組配列情報とは、ＴＳの伝送ネットワーク情報、放送局およびチャンネル（サービス）の詳細情報、および番組詳細情報などが記載されたＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）のことである。
【００２３】
送信装置１００は、ビデオストリーム、オーディオストリーム等が多重化されたトランスポートストリーム（ＴＳ）３００を送信する。本実施の形態では、送信装置１００（放送局）側から送出されるＴＳ３００は、従来の２Ｄデジタル放送で運用されているようにＭＰＥＧ２−ＴＳに準拠したトランスポートストリームである。ＭＰＥＧ２−ＴＳに準拠したトランスポートストリームは、１つ以上のビデオ・オーディオストリームと、各ビデオ・オーディオストリームストリームがどのプログラム（番組）に属するかを記したＰＳＩを含んでいる。ＰＳＩには、ＴＳ内に含まれるプログラム一覧を示すＰＡＴ（Ｐｒｏｇｒａｍ  Ａｓｓｏｃｉａｔｉｏｎ  Ｔａｂｌｅ）、あるプログラム内に属する映像・音声などのストリームのＰＩＤ（パケットＩＤ）を格納したＰＭＴ（Ｐｒｏｇｒａｍ  Ｍａｐ  Ｔａｂｌｅ）などがある。
【００２４】
さらにＭＰＥＧ２−ＴＳに準拠したトランスポートストリームには、ネットワーク情報や編成チャンネル情報・番組情報に関して記述されているＳＩが含まれる。
【００２５】
ＳＩには、ＮＩＴ（Ｎｅｔｗｏｒｋ  Ｉｎｆｏｒｍａｔｉｏｎ  Ｔａｂｌｅ：ネットワーク情報テーブル）、ＳＤＴ（Ｓｅｒｖｉｃｅ  Ｄｅｓｃｒｉｐｔｉｏｎ  Ｔａｂｌｅ：サービス記述テーブル）及びＥＩＴ（Ｅｖｅｎｔ  Ｉｎｆｏｒｍａｔｉｏｎ  Ｔａｂｌｅ：イベント情報テーブル）等のテーブルが含まれている。
【００２６】
ＮＩＴには、送出されたＴＳが経由するネットワークに関する情報（チャンネル番号、変調方式など）が記述されている。
【００２７】
ＳＤＴには、送出されるＴＳ内に存在する編成チャンネルに関する情報（チャンネル名称、番組情報の種類、デジタルコピー制御情報など）が記載されている。
【００２８】
ＥＩＴには、各編成チャンネルに含まれる番組に関する詳細情報（番組名称、放送日時、放送内容など）が記載されている。
【００２９】
デジタルテレビなどの放送受信機は、ＳＩに記載された情報を利用することによって、電子番組表（Ｅｌｅｃｔｒｏｎｉｃ  Ｐｒｏｇｒａｍ  Ｇｕｉｄｅ：ＥＰＧ）を作成することができる。
【００３０】
なお、各ＳＩに記載される記述子の運用方法は、各国ごとの運用規定に従うものとするが、本実施の形態では、日本におけるＡＲＩＢ（Ｔｈｅ  Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）で規定される標準規格および運用規定を範として、新たに拡張する方法を提案する。
【００３１】
受信再生装置２００は、放送局（送信装置１００）が送出する放送波からＴＳ３００を受信し、ＴＳ３００に多重化されているビデオ・オーディオストリームと番組配列情報を含むＳＩ等を分離する。
【００３２】
受信再生装置２００は、分離されたＳＩ等のＰＳＩ／ＳＩの各情報から、電子番組表（ＥＰＧ）を作成する。構成されたＥＰＧの各情報からは、それぞれにビデオ・オーディオストリームへのリンク情報が紐付けられてあり、ユーザはＥＰＧから視聴したい番組を選択することにより、所望する番組の映像・音声を視聴することができる。ここで、受信再生装置２００は、ビデオストリームからの映像を２Ｄ表示し、３Ｄ表示には非対応である。
【００３３】
２．２  送信装置１００の構成
送信装置１００は、一の番組について、３Ｄ映像を表示するためのビデオストリーム（以下、３Ｄ用ビデオストリームという。）と、２Ｄ映像を表示するためのビデオストリーム（以下、２Ｄ用ビデオストリームという。）を生成し、各ストリームを同時刻に配信することで、一の番組についてサイマル放送を提供するものである。
【００３４】
送信装置１００は、図２に示すように、３Ｄ用ビデオエンコーダ１０１、２Ｄ用ビデオエンコーダ１０２、オーディオエンコーダ１０３、３Ｄ用ビデオストリーム格納部１０４、２Ｄ用ビデオストリーム格納部１０５、オーディオストリーム格納部１０６、多重化部１０７、送信部１０８及び番組配列情報格納部１０９から構成されている。
【００３５】
（１）３Ｄ用ビデオエンコーダ１０１
３Ｄ用ビデオエンコーダ１０１は、一の番組について３Ｄ表示用の複数の映像（ピクチャ）について、ＭＰＥＧ−２、ＭＰＥＧ−４などの方式を使って符号化して、３Ｄ用ビデオストリームを生成し、３Ｄ用ビデオストリーム格納部１０４へ書き込む。
【００３６】
ここで、３Ｄ用ビデオエンコーダ１０１は、３Ｄ映像の再生方式に応じて、例えばＳｉｄｅ−ｂｙ−Ｓｉｄｅ（以下、ＳＢＳという。）方式であるか、ＭＰＥＧ４−ＭＶＣ（以下、単にＭＶＣという。）方式であるのかに応じて、各映像を符号化する。なお、各方式に応じた符号化が公知であるため、ここでの説明は省略する。
【００３７】
（２）２Ｄ用ビデオエンコーダ１０２
２Ｄ用ビデオエンコーダ１０２は、前記一の番組について２Ｄ表示用の複数の映像（ピクチャ）について、ＭＰＥＧ−２、ＭＰＥＧ−４などの方式を使って符号化して、２Ｄ用ビデオストリームを生成し、２Ｄ用ビデオストリーム格納部１０５へ書き込む。
【００３８】
（３）オーディオエンコーダ１０３
オーディオエンコーダ１０３は、音声データを、リニアＰＣＭなどの方式で圧縮・符号化して、オーディオストリームを生成し、オーディオストリーム格納部１０６へ書き込む。
【００３９】
（４）３Ｄ用ビデオストリーム格納部１０４
３Ｄ用ビデオストリーム格納部１０４は、３Ｄ用ビデオエンコーダ１０１で生成された３Ｄ用ビデオストリームを格納するための記憶領域である。
【００４０】
（５）２Ｄ用ビデオストリーム格納部１０５
２Ｄ用ビデオストリーム格納部１０５は、２Ｄ用ビデオエンコーダ１０２で生成された２Ｄ用ビデオストリームを格納するための記憶領域である。
【００４１】
（６）オーディオストリーム格納部１０６
オーディオストリーム格納部１０６は、オーディオエンコーダ１０３で生成されたオーディオストリームを格納するための記憶領域である。
【００４２】
（７）番組配列情報格納部１０９
番組配列情報格納部１０９は、ＰＳＩ／ＳＩを格納するための記憶領域である。
【００４３】
ＰＳＩ／ＳＩ、特に、ＳＤＴ、ＥＩＴ及びＰＭＴの記載内容については、後述する。なお、ＰＳＩ／ＳＩは、外部装置で作成されてもよいし、送信装置１００で作成されてもよい。
【００４４】
（８）多重化部１０７
多重化部１０７は、３Ｄ用ビデオストリーム格納部１０４に格納されている３Ｄ用ビデオストリーム、２Ｄ用ビデオストリーム格納部１０５に格納されている２Ｄ用ビデオストリーム、オーディオストリーム格納部１０６に格納されているオーディオストリーム、ＰＳＩ／ＳＩなどを多重化して、ＭＰＥＧ２−ＴＳ形式のトランスポートストリーム（ＴＳ）３００を生成し、送信部１０８を介して送信する。
【００４５】
なお、各種ストリームとともに多重化されるＰＳＩ／ＳＩの詳細の説明については後述する。
【００４６】
（９）送信部１０８
送信部１０８は、多重化部１０７で生成されたＭＰＥＧ２−ＴＳ形式のトランスポートストリームを送信する。
【００４７】
（１０）ＰＳＩ／ＳＩ
ここでは、番組配列情報格納部１０９に格納され、多重化部１０７で各種ストリームとともに多重化されるＰＳＩ／ＳＩの記述内容、特にＳＤＴ、ＥＩＴ及びＰＭＴの記述内容について説明する。
【００４８】
多重化部１０７で生成されるＴＳ３００には、図３及び図４に示すように、ＰＳＩ／ＳＩであるＳＤＴ３０１、ＥＩＴ３０２、３０３、ＰＭＴ３０４等が含まれており、１つのＴＳ３００に複数の編成チャンネルの番組が多重化される。
【００４９】
番組配列情報格納部１０９では、ＳＤＴ３０１、ＥＩＴ３０２、３０３、ＰＭＴ３０４などが格納されており、多重化部１０７で生成されるＴＳ３００に含まれる。
【００５０】
以下、ＳＤＴ３０１、ＥＩＴ３０２、３０３、ＰＭＴ３０４について説明する。
【００５１】
（１０−１）ＳＤＴ３０１
図３に示すＴＳ３００には、２つの編成チャンネルが含まれており、各編成チャンネルそれぞれに対してＳＤＴ３０１内でｓｅｒｖｉｃｅ＿ｉｄがユニークに割当てられ、ｓｅｒｖｉｃｅ＿ｉｄごとに対応する編成チャンネルに関する情報が定義される（図３に示す記述子３２０、３２１に相当）。
【００５２】
記述子３２０、３２１のそれぞれには、対応する編成チャンネルの放送形態を示すｓｅｒｖｉｃｅ＿ｔｙｐｅ、サービス事業者名を示すｓｅｒｖｉｃｅ＿ｐｒｏｖｉｄｅｒ＿ｎａｍｅ、サービス名を示すｓｅｒｖｉｃｅ＿ｎａｍｅがサービス記述子として含まれている。
【００５３】
（１０−２）ＥＩＴ３０２、３０３
次に、図４に示すＥＩＴ３０２、３０３について説明する。
【００５４】
ＥＩＴ３０２，３０３は、チャンネルごとに時系列にその番組情報がまとめられている。対応するチャンネルは、ｓｅｒｖｉｃｅ＿ｉｄによってＳＤＴ３０１内で定義される編成チャンネルと紐付けられる。ここでは、ＥＩＴ３０２は、ｓｅｒｖｉｃｅ＿ｉｄ３３０により、図３に示す記述子３２０で示される編成チャンネル（サービス１）と、ＥＩＴ３０３は、ｓｅｒｖｉｃｅ＿ｉｄ３４０により、図３に示す記述子３２１で示される編成チャンネル（サービス２）と、それぞれ紐付がなされている。
【００５５】
編成チャンネルに含まれる各番組情報は、ｅｖｅｎｔ#ｉｄによってユニークに識別される。例えば、編成チャンネル（サービス１）は、ＥＩＴ３０２のｅｖｅｎｔ#ｉｄ３３１（ＩＤの値が１００）で識別され、編成チャンネル（サービス２）は、ＥＩＴ３０３のｅｖｅｎｔ#ｉｄ３４１（ＩＤの値が２００）で識別される。
【００５６】
番組の開始時刻は、ｓｔａｒｔ＿ｔｉｍｅに記述され、放送時間はｄｕｒａｔｉｏｎに記述される時間で対応付けられる。図４では、ＥＩＴ３０２、ＥＩＴ３０３で示される番組の双方とも、開始時刻が１９：００であり、放送時間は２時間である。また、番組名称は、ｅｖｅｎｔ＿ｎａｍｅに記載され、図４では、ＥＩＴ３０２、ＥＩＴ３０３で示される番組の双方とも、同一の番組名である。
【００５７】
その他番組の詳細情報に関する記述子は、ＥＩＴ３０２、３０２それぞれにおいてｅｖｅｎｔ＿ｉｄごとに記述される。具体的には、ＥＩＴ３０３では、番組情報として「３Ｄ映像有り」を示すコンテント記述子３４３を含んでいる。コンテント記述子３４３は、イベントのジャンルに関する情報が記載されるものであり、例えば、“ｃｏｎｔｅｎｔ＿ｎｉｂｂｌｅ＿ｌｅｖｅｌ＿１”、“ｃｏｎｔｅｎｔ＿ｎｉｂｂｌｅ＿ｌｅｖｅｌ＿２”、及び“ｕｓｅｒ＿ｎｉｂｂｌｅ”それぞれを定義することによりベントのジャンルに関する情報が特定される。ここでは、これら情報の定義について拡張し、各情報について、“ｃｏｎｔｅｎｔ＿ｎｉｂｂｌｅ＿ｌｅｖｅｌ＿１＝０ｘＥ”、“ｃｏｎｔｅｎｔ＿ｎｉｂｂｌｅ＿ｌｅｖｅｌ＿２＝０ｘ０”、及び“ｕｓｅｒ＿ｎｉｂｂｌｅ＝０ｘ２０”と記述する。これにより、ＥＩＴ３０３で示される、つまりｅｖｅｎｔ＿ｉｄ＝２００で識別される番組には３Ｄ映像が存在することを示す。
【００５８】
ＥＩＴ３０２及びＥＩＴ３０３で示される各番組は、ともに同じ内容のコンテンツであるが、ＥＩＴ３０２で示される番組（ストリーム）は２Ｄ番組として放送するもので、ＥＩＴ３０３で示される番組（ストリーム）は３Ｄ番組として放送するものである。すなわち、両番組は互いに放送形態の異なるサイマル放送番組として放送されている。
【００５９】
ＥＩＴ３０２、３０３は、サイマル放送されている各番組を紐付ける情報として、サイマル放送番組として放送されている他方の番組（ストリーム）を参照する情報を示すイベントグループ記述子３３３、３４４を有している。
【００６０】
従来のイベントグループ記述子は、現行の２Ｄ放送においてＡＲＩＢ規格（ＡＲＩＢ  ＳＴＤ−Ｂ１０）において定義される記述子であって、複数の番組（イベント）間に関係がある場合にそれらをグループ化して、関連する各番組のＰＭＴに同一のＥＳを参照するＰＩＤを記述して番組を共有化（イベント共有）したり、番組途中で異なるサービスへ継続して放送（イベントリレー）したりする放送形態を定義する記述子である。ここでは、この記述子を拡張して、３Ｄ番組と２Ｄ番組とによるサイマル放送を関連付ける記述を新たに定義して、３Ｄ番組と２Ｄ番組のサイマル放送番組間を紐付ける。
【００６１】
イベントグループ記述子３３３、３４４には、サイマル放送のおける２Ｄ番組であるか３Ｄ番組であるかを判別するグループの種別（ｇｒｏｕｐ＿ｔｙｐｅ）、参照先のサイマル放送番組を含む編成チャンネルのチャンネルＩＤ（ｓｅｖｉｃｅ＿ｉｄ）、および参照先のサイマル放送番組の番組ＩＤ（ｅｖｅｎｔ＿ｉｄ）が定義されている。
【００６２】
ｇｒｏｕｐ＿ｔｙｐｅは、提供するデータ構造のサービス形態を区別する値であり、ここでは、サイマル放送の２Ｄ番組に対応する値として“０ｘ６”が、サイマル放送の３Ｄ番組に対応する値として“０ｘ７”が、それぞれ用いられる。
【００６３】
これにより、イベントグループ記述子３３３、３４４を同時刻に放送されているサイマル放送番組への遷移の際のリンク情報として利用することができる。
【００６４】
（１０−３）ＰＭＴ３０４
ＰＭＴ３０４は、ＴＳ３００に含まれる各種ＥＳ、例えばｅｖｅｎｔ＿ｉｄの値が１００である２Ｄ番組に対する２Ｄ用ビデオストリーム、ｅｖｅｎｔ＿ｉｄの値が２００である３Ｄ番組に対する３Ｄ用ビデオストリーム、及びこれら番組のオーディオストリームそれぞれについての情報（ＥＳ情報）が記述されている。記述内容は、従来と変更はないが、３Ｄ番組に対するＥＳ情報には、従来の記述内容に加えて、３Ｄ映像の再生方式がＳＢＳ方式であるか、ＭＶＣ方式であるかを識別する情報（３Ｄ再生方式）が記述されている。
【００６５】
２．３  受信再生装置２００
受信再生装置２００は、送信装置１００から送信されたＴＳ３００を受信し、ＴＳ３００に含まれるビデオストリームから２Ｄ表示用の映像を生成し、表示する、３Ｄ表示非対応のデジタルテレビである。
【００６６】
受信再生装置２００は、図５に示すように、チューナ２０１、多重分離部２０２、番組情報管理部２０３、番組表構成部２０４、映像デコード部２０５、音声デコード部２０６、映像表示処理部２０７及び表示部２０８から構成されている。
【００６７】
（１）チューナ２０１
チューナ２０１は、送信装置１００から送信された、デジタル放送波であるトランスポートストリーム（ＴＳ）３００の信号を受信し、受信した信号を復調する機能を有している。
【００６８】
（２）多重分離部２０２
多重分離部２０２は、受信したＴＳ３００を、ビデオストリーム（Ｖ＿ＥＳ）、オーディオストリーム（Ａ＿ＥＳ）、及びＰＳＩ／ＳＩなどに分離し、ビデオストリームは映像デコード部２０５へ、オーディオストリームは音声デコード部２０６へ、ＰＳＩ／ＳＩは番組情報管理部２０３へ、それぞれ出力する。
【００６９】
ここで、映像デコード部２０５へ出力するビデオストリームは、受信したＴＳ３００に含まれる１つ以上のビデオストリームの中から、後述する番組情報管理部２０３によって選択された番組に紐付けられたストリーム情報（例えば、ビデオストリームのＰＩＤ）に従って選択される。ここで、ビデオストリームには、映像コーデック情報及び当該ビデオストリームに３Ｄ映像が含まれる場合には３Ｄ方式情報といったストリーム情報も含まれており、これら情報も映像デコード部２０５へ転送される。ここで、映像コーデック情報とは、ビデオストリームのコーデック方式を示す情報、例えばＭＰＥＧ−２方式であるかＭＰＥＧ−４方式であるかを示す情報である。また、３Ｄ方式情報とは、ＳＢＳ方式により３Ｄ映像が生成されているのか、ＭＶＣ方式により３Ｄ映像が生成されているのかを示す情報である。
【００７０】
また、音声デコード部２０６へ出力するオーディオストリームは、受信したＴＳ３００に含まれる１つ以上のビデオストリームの中から、後述する番組情報管理部２０３によって選択された番組に紐付けられたストリーム情報（例えば、オーディオストリームのＰＩＤ）に従って選択される。
【００７１】
多重分離部２０２は、受信したＴＳ３００からＰＳＩ、ＳＩ及びＰＭＴなどのシステムパケットを抽出し、ＴＳ３００に含まれる番組情報と、番組に対応するストリーム情報とを取得し、番組情報管理部２０３に出力する。
【００７２】
（３）番組情報管理部２０３
番組情報管理部２０３は、多重分離部２０２から取得した「番組情報」と「ストリーム情報」とを紐付けてデータベース管理し、電子番組表（ＥＰＧ）を作成する番組表構成部２０４へ番組情報を提供する。
【００７３】
また、電子番組表からのユーザ操作によってある番組が指定されるとき、番組情報管理部２０３は、番組情報に紐付けられた「ストリーム情報」を多重分離部２０２に出力する。
【００７４】
番組情報管理部２０３は、図６に示すように、ＰＳＩ／ＳＩ解析部２１１、番組情報ＤＢ２１２及び選択番組解析部２１３から構成されている。
【００７５】
（３−１）ＰＳＩ／ＳＩ解析部２１１
ＰＳＩ／ＳＩ解析部２１１は、多重分離部２０２からＰＳＩ／ＳＩを受け取ると、その中から番組情報を抽出し、番組情報ＤＢ２１２へ登録する。
【００７６】
例えば、ＰＳＩ／ＳＩのうちＰＭＴには、ＴＳ内に含まれるストリームのＰＩＤ情報、及びＰＩＤで示されるストリームが３Ｄ映像である場合にはその再生方式が記載されている。また、ＳＤＴには、放送されている編成チャンネル情報が記載されており、ＥＩＴ（Ｅｖｅｎｔ  Ｉｎｆｏｒｍａｔｉｏｎ  Ｔａｂｌｅには）編成チャンネルに紐付けられて各番組の番組情報が記載されている。ＰＳＩ／ＳＩ解析部２１１は、ＰＳＩ／ＳＩから番組ごとに各種情報を取得し、各番組の番組情報とそれぞれに紐付けられたストリーム情報をまとめて番組情報ＤＢ２１２に格納する。
【００７７】
（３−２）番組情報ＤＢ２１２
番組情報ＤＢ２１２は、ＰＳＩ／ＳＩ解析部２１１で取得された各番組の番組情報及びストリーム情報をデータベースとして管理し、番組情報の提供要求に応じて記録されているデータを提供する。
【００７８】
例えば、番組情報ＤＢ２１２は、図７に示す番組情報テーブルＴ１００を有している。番組情報テーブルＴ１００は、チャンネルＩＤ、チャンネル名、番組ＩＤ、番組名、放送日時、３Ｄ映像、３Ｄ再生方式、サイマル放送及びストリームＩＤからなる組を１つ以上格納する領域を有している。
【００７９】
チャンネルＩＤは、対応する番組が放送されるチャンネルを示す識別子であり、チャンネル名はそのチャンネルの放送局名である。番組ＩＤは、対応する番組を識別するものであり、番組名は対応する番組の名称である。放送日時は、対応する番組が放送される日時を示す。なお、これらの情報は全てＥＩＴ及びＳＤＴから取得されるものである。
【００８０】
３Ｄ映像は、対応する番組に３Ｄ映像が含まれるか否かを示す情報が記載される。なお、図７では、便宜上、対応する番組に３Ｄ映像が含まれない場合には“−”を、含まれる場合には“有”と記載している。
【００８１】
３Ｄ再生方式は、対応する番組が３Ｄ映像を含むものであれば、その再生方式を識別する情報が記載される。例えば、再生方式がＳＢＳ方式である場合には、その旨を示す情報（ここでは“ＳＢＳ”とする。）が記載され、ＭＶＣ方式である場合には、その旨を示す情報（ここでは“ＭＶＣ”とする。）が記載される。この情報は、ＰＭＴから取得される。
【００８２】
サイマル放送には、対応する番組についてサイマル放送がされているか否かを示す情報、及びサイマル放送がされている場合にはサイマル放送における他方の番組へのリンク情報が記載されている。例えば、サイマル放送がされている場合には、その旨を示す情報（ここでは、“有”とする。）が記載される。なお。この情報は、ＥＩＴにサイマル放送について他方の番組を紐付けるインベントグループ記述子の記載の有無のより判別される。サイマル放送がされている場合には、リンク情報としてサイマル放送について他方の番組を紐付けるインベントグループ記述子の内容が記載される。
【００８３】
ストリームＩＤには、対応する番組に割り当てられたストリームＩＤが記載される。
【００８４】
（３−３）選択番組解析部２１３
選択番組解析部２１３は、ユーザが電子番組表などから視聴したい番組を選局したとき、そのユーザの選択操作による指示を受けて、番組情報ＤＢ２１２に番組情報の問い合わせを行う。
【００８５】
選択番組解析部２１３は、ユーザによって指示された番組について番組情報ＤＢ２１２に問い合わせた結果、当該受信再生装置２００で再生が可能であるか否かを判断する。
【００８６】
再生不可であると判断した場合、つまりユーザによって指示された番組が３Ｄを含む番組である場合、選択番組解析部２１３は、番組情報ＤＢ２１２から視聴指示のあった番組に対応する３Ｄ再生方式を確認する。
【００８７】
３Ｄ再生方式がＭＶＣである、つまり２Ｄ再生との互換性のある方式である場合には、選択番組解析部２１３は、指定された３Ｄ映像を含む番組に対応する番組情報を用いて、取得すべき３Ｄ用ビデオストリームを特定する。
【００８８】
３Ｄ再生方式がＳＢＳ方式である場合には、選択番組解析部２１３は、視聴指示のあった番組についてサイマル放送の存在の有無を確認する。２Ｄ映像のサイマル放送番組が存在するならば、選択番組解析部２１３は、ユーザから指定された番組に代わって、サイマル放送として紐付けられている番組情報（２Ｄ番組の番組情報）のリンク情報を用いて参照し、再度番組情報ＤＢ２１２に問合せを行い、取得すべき、サイマル放送番組の２Ｄ用ビデオストリームを特定する。
【００８９】
サイマル放送として２Ｄ映像の番組が存在しない場合には、選択番組解析部２１３は、指定された３Ｄ映像を含む番組に対応する番組情報を用いて、視聴指示のあった３Ｄ番組に対応し、再生方式がＳＢＳである３Ｄ用ビデオストリームを特定する。
【００９０】
以上のようにして、２Ｄデジタルテレビで視聴する番組の適宜切替えが実現できる。
【００９１】
（４）番組表構成部２０４
番組表構成部２０４は、番組情報管理部２０３から番組情報を取得し、ユーザに提供するＥＰＧデータを構成する。構成されたＥＰＧデータは、ユーザからの要求を受けて表示部２０８に出力され、ＥＰＧとして画面上に表示される。
【００９２】
ここで、サイマル放送時のＥＰＧ４００の表示の一例を図８に示す。
【００９３】
図８に示すＥＰＧ４００は、図７に示す番組情報テーブルＴ１００に基づいて構成されたものである。番組情報テーブルＴ１００におけるチャンネル名“テレビ局Ａ”で１９：００から２１：００まで放送される野球中継は、２Ｄ番組と３Ｄ番組とによるサイマル放送であるので、ＥＰＧ４００では、サービス１及びサービス２の欄それぞれにおいて、個別に番組が表示される。
【００９４】
また、図３の記述子３２０、３２１で定義された情報（ｓｅｒｖｉｃｅ＿ｐｒｏｖｉｄｅｒ＿ｎａｍｅ、ｓｅｒｖｉｃｅ＿ｎａｍｅ）は、ＥＰＧ４００における放送局名およびチャンネル（サービス）名称として参照される。
【００９５】
サービス１は、図３のＳＤＴ３０１内の情報において、ｓｅｒｖｉｃｅ＿ｉｄ＝１で定義された編成チャンネルであり、ｓｅｒｖｉｃｅ＿ｉｄ＝１で紐付けられたチャンネルの番組は、図４のＥＩＴ３０２にあって、ｅｖｅｎｔ＿ｉｄ＝１００にて識別される番組情報が参照される。これにより、２Ｄ番組としての“野球中継”４０１がＥＰＧ４００に記述される。
【００９６】
また、サービス２は、図３のＳＤＴ３０１内の情報において、ｓｅｒｖｉｃｅ＿ｉｄ＝２で定義された編成チャンネルであり、ｓｅｒｖｉｃｅ＿ｉｄ＝２で紐付けられたチャンネルの番組は、図４のＥＩＴ３０３にあって、ｅｖｅｎｔ＿ｉｄ＝２００にて識別される番組情報が参照される。これにより、３Ｄ番組としての“野球中継”４０２がＥＰＧ４００に記述される。また、“野球中継”４０２については、３Ｄ番組であることを示す３Ｄ番組情報４０３が含まれ表示される。ここで、３Ｄ番組情報４０３の表示の要否は、図６中のコンテント記述子における「３Ｄ映像有り」を示す記載の有無によって判別される。受信再生装置２００が前記コンテント記述子の「３Ｄ映像有り」を検出した場合に３Ｄ番組情報４０３がＥＰＧ４００上に表示される。
【００９７】
また、２Ｄ番組としての“野球中継”及び３Ｄ番組としての“野球中継”それぞれの番組情報４０４、４０５を、図８に示す。
【００９８】
番組情報４０４は、２Ｄ番組としての“野球中継”の番組情報であり、番組情報４０４は、３Ｄ番組としての“野球中継”の番組情報である。
【００９９】
番組情報４０４には、２Ｄ番組としての“野球中継”に係る情報として、例えば番組ＩＤ（ｅｖｅｎｔ＿ｉｄ）である値“１００”、３Ｄ映像の有無（ここでは、“無”を示す情報）、サイマル放送の有無（ここでは、“有”を示す情報）が記載されている。また、番組情報４０４には、サイマル放送における他方の番組を特定するために３Ｄサイマル放送へのリンク情報（以下、３Ｄ番組リンク情報という。）が記載されている。３Ｄ番組リンク情報として、例えばサイマル放送における３Ｄ番組のチャンネルＩＤ（＝“２”）及び番組ＩＤ（＝“２００”）が含まれている。この３Ｄ番組リンク情報に含まれるチャンネルＩＤ、番組ＩＤ、及び番組情報テーブルＴ１００から、サイマル放送における３Ｄ番組に対する３Ｄ用ビデオストリームを特定することができる。
【０１００】
番組情報４０５には、３Ｄ番組としての“野球中継”に係る情報として、例えば番組ＩＤ（ｅｖｅｎｔ＿ｉｄ）である値“２００”、３Ｄ映像の有無（ここでは、“有”を示す情報）、サイマル放送の有無（ここでは、“有”を示す情報）が記載されている。また、番組情報４０５には、サイマル放送における他方の番組を特定するために２Ｄサイマル放送へのリンク情報（以下、２Ｄ番組リンク情報という。）が記載されている。２Ｄ番組リンク情報として、例えばサイマル放送における２Ｄ番組のチャンネルＩＤ（＝“１”）及び番組ＩＤ（＝“１００”）が含まれている。この２Ｄ番組リンク情報に含まれるチャンネルＩＤ、番組ＩＤ、及び番組情報テーブルＴ１００から、サイマル放送における２Ｄ番組に対する２Ｄ用ビデオストリームを特定することができる。
【０１０１】
このように、図８に示す“サービス１”の“野球中継”の番組と“サービス２”の“野球中継”の番組は、ともに同じ内容のコンテンツであるが、前者は２Ｄ番組として放送するものであり、後者は３Ｄ番組として放送するものである。すなわち、両番組は互いに放送形態の異なるサイマル放送番組として放送されている。そこで、“サービス１”の２Ｄ番組と“サービス２”の３Ｄ番組とが互いにサイマル番組であるということを関連付ける情報（２Ｄ番組リンク情報、３Ｄ番組リンク情報）を互いの番組情報に追加することで、ユーザの視聴形態に合わせた再生を行うことができる。
【０１０２】
（５）映像デコード部２０５
映像デコード部２０５は、ビデオストリーム（Ｖ＿ＥＳ）を多重分離部２０２から受け取ると、受け取ったビデオストリームのデコードを行うとともに、ビデオストリーム中の映像コーデック情報及び３Ｄ方式情報を取り出す機能を有している。映像デコード部２０５により、フレーム単位の映像が復号される。
【０１０３】
ここで、３Ｄ方式情報がＳＢＳ方式を示している場合における、フレーム単位の映像とは、３Ｄ映像の左目と右目の画像が１画面中に分割されて構成されている映像である。この場合、映像デコード部２０５は、当該映像を、１つの２Ｄのフレーム映像として復号する。つまり復号されたフレーム映像とは、左目と右目との両画像が１画面中に分割された映像である。
【０１０４】
また、３Ｄ方式情報がＭＶＣ方式を示している場合、映像デコード部２０５は、Ｂａｓｅ  Ｖｉｅｗストリームのみを２ＤのＭＰＥＧ４−ＡＶＣ互換ストリームとして復号する。
【０１０５】
映像デコード部２０５は、復号したフレーム映像とともに、３Ｄ方式情報を映像表示処理部２０７へ出力する。
【０１０６】
（６）音声デコード部２０６
音声デコード部２０６は、多重分離部２０２から受け取ったオーディオストリーム（Ａ＿ＥＳ）を復号して、音声データを生成する。そして、音声デコード部２０６は、生成した音声データを音声として出力する。
【０１０７】
（７）映像表示処理部２０７
映像表示処理部２０７は、映像デコード部２０５から受け取ったフレーム映像に対して、クロッピング処理やスケーリング処理といった加工処理を行い、加工後の表示イメージ（Ｄｉｓｐｌａｙ  Ｉｍａｇｅ）を表示部２０８に出力する。なお、３Ｄ方式情報がＳＢＳ方式を示す場合には、映像表示処理部２０７は、映像デコード部２０５から受け取ったフレーム映像のうち左目映像部分のみを切り取り、全画面にスケーリングさせて２Ｄ映像を生成して、当該２Ｄ映像に対して上記加工処理を行って、加工後の２Ｄ映像を表示部２０８に出力してもよい。
【０１０８】
（８）表示部２０８
表示部２０８は、映像表示処理部２０７から受け取った加工処理後のフレーム映像を画面に表示する。
【０１０９】
また、表示部２０８は、ユーザ操作によって電子番組表の表示が要求されたときは、番組表構成部２０４からＥＰＧデータを受け取り、受け取ったＥＰＧデータを基づく電子番組表を画面に表示する。
【０１１０】
２．４  動作
（１）送信装置１００の動作
ここでは、送信装置１００の動作について図９に示す流れ図を用いて説明する。
【０１１１】
３Ｄ用ビデオエンコーダ１０１は、一の番組について３Ｄ表示用の複数の映像（ピクチャ）について、ＭＰＥＧ−２、ＭＰＥＧ−４などの方式を使って符号化して、３Ｄ用ビデオストリームを生成し、３Ｄ用ビデオストリーム格納部１０４へ書き込む（ステップＳ５）。なお、番組ごとにＳＢＳ方式及びＭＶＣ方式の何れかで符号化されることが決められており、３Ｄ用ビデオエンコーダ１０１は、予め決められた方式で番組を符号化する。
【０１１２】
２Ｄ用ビデオエンコーダ１０２は、前記一の番組について２Ｄ表示用の複数の映像（ピクチャ）について、ＭＰＥＧ−２、ＭＰＥＧ−４などの方式を使って符号化して、２Ｄ用ビデオストリームを生成し、２Ｄ用ビデオストリーム格納部１０５へ書き込む（ステップＳ１０）。
【０１１３】
オーディオエンコーダ１０３は、音声データを圧縮・符号化して、オーディオストリームを生成し、オーディオストリーム格納部１０６へ書き込む（ステップＳ１５）。
【０１１４】
多重化部１０７は、３Ｄ用ビデオストリーム、２Ｄ用ビデオストリーム、オーディオストリーム、及び番組配列情報格納部１０９で格納されているＰＳＩ／ＳＩなどを多重化して、ＭＰＥＧ２−ＴＳ形式のトランスポートストリームを生成し、送信部１０８を介して送信する（ステップＳ２０）。
【０１１５】
（２）受信再生装置２００の動作
ここでは、受信再生装置２００の動作について、図１０に示す流れ図を用いて説明する。
【０１１６】
番組情報管理部２０３の選択番組解析部２１３は、ＥＰＧ４００の表示中にユーザ操作により番組が選択されると、選択された番組が２Ｄ番組であるか否かを判断する（ステップＳ１００）。具体的には、選択番組解析部２１３は、選択された番組に対応する番組情報に“３Ｄ映像の有”の旨が記載されているか“無”の旨が記載されているかに基づいて判断する。
【０１１７】
２Ｄ番組でない、つまり３Ｄ番組であると判断する場合（ステップＳ１００における「Ｎｏ」）、選択番組解析部２１３は、３Ｄ番組の再生が可能であるか否かを判断する（ステップＳ１０５）。具体的には、選択番組解析部２１３は、デジタルテレビが指定した３Ｄ再生自体に対応しているか否か、あるいは、３Ｄ再生ができるテレビであっても、放送中の３Ｄ再生方式に対応しているか否かを判断する。
【０１１８】
３Ｄ番組の再生が可能でないと判断する場合（ステップＳ１０５における「Ｎｏ」）、選択番組解析部２１３は、２Ｄ視聴に切り替えるか否かを判断する（ステップＳ１１０）。
【０１１９】
２Ｄ視聴に切り替えると判断する場合（ステップＳ１１０における「Ｙｅｓ」）、選択番組解析部２１３は、選択された３Ｄ番組の再生方式を判断、つまり再生方式がＳＢＳ方式であるかＭＶＣ方式であるかを判断する（ステップＳ１１５）。具体的には、選択された番組に対応する番組情報に含まれる３Ｄ再生方式に記載された情報に基づいて判断する。
【０１２０】
ＳＢＳ方式であると判断する場合（ステップＳ１１５における「ＳＢＳ」）、選択番組解析部２１３は、サイマル放送として２Ｄ番組が存在するか否かを判断する（ステップＳ１２０）。具体的には、選択番組解析部２１３は、選択された番組に対応する番組情報に“サイマル放送の有”の旨が記載されているか“無”の旨が記載されているかに基づいて判断する。
【０１２１】
存在すると判断する場合には（ステップＳ１２０における「Ｙｅｓ」）、選択番組解析部２１３は、サイマル放送として存在する２Ｄ番組の２Ｄ用ビデオストリームを特定する。受信再生装置２００は、特定された２Ｄ用ビデオストリームを再生、つまり２Ｄ番組を再生する（ステップＳ１２５）。具体的には、先ず、選択番組解析部２１３が、２Ｄ番組へのリンク情報に含まれるチャンネルＩＤ、番組ＩＤ、及び番組情報テーブルＴ１００から、サイマル放送における２Ｄ番組に対する２Ｄ用ビデオストリームを特定する。映像デコード部２０５が特定された２Ｄ用ビデオストリームのデコードを行い、映像表示処理部２０７が、デコードされた映像から表示イメージの生成をし、表示部２０８に表示イメージを表示させることで、特定された２Ｄ用ビデオストリームが２Ｄ映像として再生される。
【０１２２】
存在しないと判断する場合には（ステップＳ１２０における「Ｎｏ」）、選択番組解析部２１３は、選択された３Ｄ番組の３Ｄ用ビデオストリームを特定する。受信再生装置２００は、特定された３Ｄ用ビデオストリームのＳＢＳ方式各映像を２Ｄ映像で再生する（ステップＳ１３０）。具体的には、選択番組解析部２１３が、選択された３Ｄ番組に対応する番組情報を用いて、視聴指示のあった３Ｄ番組に対応し、再生方式がＳＢＳである３Ｄ用ビデオストリームを特定する。映像デコード部２０５が特定された３Ｄ用ビデオストリームのデコードを行い、映像表示処理部２０７が、デコードされたフレーム映像から表示イメージの生成をし、表示部２０８に表示イメージを表示させることで、特定された３Ｄ用ビデオストリームが２Ｄ映像として再生される。つまり、映像デコード部２０５及び映像表示処理部２０７が、特定された３Ｄ用ビデオストリームの再生を行う。このとき、映像デコード部２０５でデコードされたフレーム映像は、左目と右目との両画像が１画面中に分割された映像となっている。
【０１２３】
３Ｄの再生方式がＭＶＣであると判断する場合（ステップＳ１１５における「ＭＶＣ」）、選択番組解析部２１３は、選択された３Ｄ番組の３Ｄ用ビデオストリームと特定する。受信再生装置２００は、特定された３Ｄ用ビデオストリームに含まれるベースビューの各映像を２Ｄ映像として再生する（ステップＳ１３５）。具体的には、先ず、選択番組解析部２１３が、選択された３Ｄ番組に対応する番組情報を用いて、取得すべき３Ｄ用ビデオストリームを特定する。映像デコード部２０５が特定された３Ｄ用ビデオストリームのデコードを行い、映像表示処理部２０７が、デコードされたフレーム映像から表示イメージの生成をし、表示部２０８に表示イメージを表示させることで、特定された３Ｄ用ビデオストリームが２Ｄ映像として再生される。つまり、映像デコード部２０５及び映像表示処理部２０７が、特定された３Ｄ用ビデオストリームの再生を行う。このとき、映像デコード部２０５でデコードされたフレーム映像は、左目の画像からなる映像となっている。
【０１２４】
また、２Ｄ視聴に切り替えないと判断する場合（ステップＳ１１０における「Ｎｏ」）、選択番組解析部２１３は、「再生不可」の旨を示すエラーメッセージを表示し、ユーザに通知する（ステップＳ１４０）。
【０１２５】
３Ｄ番組の再生が可能であると判断する場合（ステップＳ１０５における「Ｙｅｓ」）、選択番組解析部２１３は、選択された３Ｄ番組の３Ｄ用ビデオストリームと特定し、特定した３Ｄ用ビデオストリームを特定する。受信再生装置２００は、特定された３Ｄ用ビデオストリームを３Ｄ映像として再生する（ステップＳ１４５）。
【０１２６】
（３）具体例
ここでは、図８に示すＥＰＧ４００を用いて受信再生装置２００の動作の具体例を示す。
【０１２７】
ユーザが、画面に表示されたＥＰＧ４００において、サービス１の２Ｄ番組の野球中継を選択したときには、ステップＳ１００の判断により、ステップＳ１２５へ移行し、従来の視聴再生と変わりなく、サービス１の２Ｄ番組が再生され視聴することができる。
【０１２８】
一方、サービス２の３Ｄ番組の野球中継を選択したときには、先ず、ステップＳ１００、Ｓ１０５、Ｓ１１０の判断が順次なされ、その後ステップＳ１１５の判断がなされる。
【０１２９】
ステップＳ１１５に判断結果により、３Ｄ番組の再生方式がＭＶＣ方式であると判断される場合には（ステップＳ１１５における「ＭＶＣ」）、受信再生装置２００は、左目用映像として表示するＢａｓｅＶｉｅｗのストリームを、単体で２Ｄ映像として再生する（ステップＳ１３５）。
【０１３０】
また、ステップＳ１１５に判断結果により、３Ｄ番組の再生方式がＳＢＳ方式であると判断される場合には（ステップＳ１１５における「ＳＢＳ」）、受信再生装置２００は、サイマル放送として２Ｄ番組（２Ｄの野球中継）が存在するか否かを判断する（ステップＳ１２０）。
【０１３１】
存在すると判断する場合には（ステップＳ１２０における「Ｙｅｓ」）、サービス２の野球中継の番組情報中に、サイマル放送番組へのリンク情報（例えば「チャンネルＩＤ」と「番組ＩＤ」という情報）が記述されているので、ステップＳ１２５では、これを基にして、サービス１の２Ｄ番組の野球中継の再生に切替えて、ユーザに提供する。
【０１３２】
存在しないと判断する場合には（ステップＳ１２５における「Ｎｏ」）、ステップＳ１３０により、サービス２のＳＢＳ方式の映像を２Ｄ映像としてそのまま映し出すことになる。
【０１３３】
ステップＳ１２０、Ｓ１２５、及びＳ１３０が実行されるのは、以下の理由による。ＳＢＳ方式では、左右の解像度を１／２にして従来の２Ｄと同じ方式で送出する３Ｄ放送方式である。よって、２Ｄの映像本来のＦｕｌｌ  ＨＤ解像度での視聴を満足することはできないからである。そこで、ＳＢＳ方式に対応して、２ＤでのＦｕｌｌ  ＨＤ視聴を提供するには、放送局側から２Ｄ  Ｆｕｌｌ  ＨＤ放送されるサービス１のサイマル放送を送出し、そちらに切替えることで、上記の問題を解決できる。
【０１３４】
また、ステップＳ１１５、及びＳ１３５が実行されるのは、以下の理由による。
ＭＶＣ方式では、３Ｄ番組において配信されるビデオストリームの構成は、エンコードされたＨＤ×２ストリーム（ＢａｓｅＶｉｅｗストリーム、ＮｏｎＢａａｓｅＶｉｅｗストリーム）からなり、ＢａｓｅＶｉｅｗストリームは独立して当該ストリームだけでもデコードが可能である。そのため、ＢａｓｅＶｉｅｗストリームから得られる映像の解像度と、２Ｄの映像本来のＦｕｌｌ  ＨＤ解像度とは同等のものとなり、ＢａｓｅＶｉｅｗストリームの再生を行っても、２Ｄ用ストリームの再生を行った場合と同等の視聴満足度を得ることができる。以上のように、２Ｄ再生との互換性を持ったＭＶＣ方式では、ユーザの視聴環境に適宜合わせて３Ｄ番組でも２Ｄとして視聴することが可能である。これにより、サービス２の３Ｄ番組の映像を２Ｄ映像として再生することができる。
【０１３５】
２．５  変形例１
上記実施の形態では、１つのトランスポートストリーム（ＴＳ）３００に２つの編成チャンネルが含まれるとしたが、これに限定されない。
【０１３６】
サイマル放送における各番組は、必ずしも１つのＴＳで配信される必要はなく、個別のＴＳで配信されてもよい。
【０１３７】
図１１及び図１２は、サイマル放送における２つの番組が個別のＴＳ（ＴＳ１３００ａ、ＴＳ１３００ｂ）により配信される場合の一例を示すものである。
【０１３８】
ＴＳ１３００ａは、図１１、１２に示すように、ＳＤＴ１３０１ａ、ＥＩＴ１３０２ａが含まれている。
【０１３９】
ＴＳ１３００ａは、ＳＤＴ１３０１ａにおける編成チャンネルに関する情報が定義される記述子１３２０で示されるように、編成チャンネルが“１”（ｓｅｒｖｉｃｅ＿ｉｄ＝１）、テレビ局名が“テレビ局Ａ”（ｓｅｒｖｉｃｅ＿ｐｒｏｖｉｄｅｒ＿ｎａｍｅ＝“テレビ局Ａ”）、及びチャンネル名が“サービス１”（ｓｅｒｖｉｃｅ＿ｎａｍｅ＝“サービス１”）で示される放送局から配信された番組のトランスポートストリームであることが分かる。
【０１４０】
また、ＴＳ１３００ｂは、ＳＤＴ１３０１ｂにおける編成チャンネルに関する情報が定義される記述子１３２５で示されるように、編成チャンネルが“２”（ｓｅｒｖｉｃｅ＿ｉｄ＝２）、テレビ局名が“テレビ局Ａ”（ｓｅｒｖｉｃｅ＿ｐｒｏｖｉｄｅｒ＿ｎａｍｅ＝“テレビ局Ａ”）、及びチャンネル名が“サービス２”（ｓｅｒｖｉｃｅ＿ｎａｍｅ＝“サービス２”）で示される放送局から配信された番組のトランスポートストリームであることが分かる。
【０１４１】
また、ＴＳ１３００ａとＴＳ１３００ｂとは、その生成と発生したネットワーク由来が異なるため、ストリームＩＤ（ｔｒａｎｓｐｏｒｔ＿ｓｔｒｅａｍ＿ｉｄ）とネットワークＩＤ（ｏｒｉｇｉｎａｌ＿ｎｅｔｗｏｒｋ＿ｉｄ）が異なる。具体的には、図１１に示すように、ＴＳ１３００ａのストリームＩＤ１３１０及びネットワークＩＤ１３１１は、ｔｒａｎｓｐｏｒｔ＿ｓｔｒｅａｍ＿ｉｄ＝ｘ１とｏｒｉｇｉｎａｌ＿ｎｅｔｗｏｒｋ＿ｉｄ＝ｙ１と定義され、ＴＳ１３００ｂのストリームＩＤ１３１５及びネットワークＩＤ１３１６は、ｔｒａｎｓｐｏｒｔ＿ｓｔｒｅａｍ＿ｉｄ＝ｘ２とｏｒｉｇｉｎａｌ＿ｎｅｔｗｏｒｋ＿ｉｄ＝ｙ２と定義されている。すなわち、ｔｒａｎｓｐｏｒｔ＿ｓｔｒｅａｍ＿ｉｄとｏｒｉｇｉｎａｌ＿ｎｅｔｗｏｒｋ＿ｉｄの２つによってＴＳの所在はユニークに特定ができる。
【０１４２】
図８は、ＴＳ１３００ａ及びＴＳ１３００ｂそれぞれに含まれるＥＩＴ１３０２ａ及びＥＩＴ１３０２ｂの記述内容の一例を示している。
【０１４３】
ＥＩＴ１３０２ａのイベントＩＤ１３３１では、ｅｖｅｎｔ＿ｉｄ＝１００と定義されており、ＥＩＴ１３０２ａが含まれるＴＳ１３００ａは、ｅｖｅｎｔ＿ｉｄ＝１００に対応する番組の映像・音声のストリームが含まれていることが分かる。
【０１４４】
また、ＥＩＴ１３０２ｂのイベントＩＤ１３４１では、ｅｖｅｎｔ＿ｉｄ＝２００と定義されており、ＥＩＴ１３０２ｂが含まれるＴＳ１３００ｂは、ｅｖｅｎｔ＿ｉｄ＝２００に対応する番組の映像・音声のストリームが含まれていることが分かる。さらに、ＥＩＴ１３０２ｂのコンテント記述子１３４３においてｅｖｅｎｔ＿ｉｄ＝２００に対応する番組が３Ｄ番組であることが分かる。
【０１４５】
ＴＳ１３００ａ及びＴＳ１３００ｂとは、サイマル放送に係るトランスポートストリームであるので、イベントグループ記述子１３３３及び１３４４により、互いに関連付けを行う。上記実施の形態と異なる点は、他方の編成チャンネルについてのｔｒａｎｓｐｏｒｔ＿ｓｔｒｅａｍ＿ｉｄとｏｒｉｇｉｎａｌ＿ｎｅｔｗｏｒｋ＿ｉｄが記述されることである。例えば、ＥＩＴ１３０２ａのイベントグループ記述子１３３３では、ｅｖｅｎｔ＿ｉｄ＝２００であるＴＳ１３００ｂについてのストリームＩＤとネットワークＩＤ（ここでは、ｔｒａｎｓｐｏｒｔ＿ｓｔｒｅａｍ＿ｉｄ＝ｘ２、ｏｒｉｇｉｎａｌ＿ｎｅｔｗｏｒｋ＿ｉｄ＝ｙ２）とが記述される。他の記述内容は、上記実施の形態で示したイベントグループ記述子３３３と同様である。逆に、ＥＩＴ１３０２ｂのイベントグループ記述子１３４４では、ｅｖｅｎｔ＿ｉｄ＝１００であるＴＳ１３００ａについてのストリームＩＤとネットワークＩＤ（ここでは、ｔｒａｎｓｐｏｒｔ＿ｓｔｒｅａｍ＿ｉｄ＝ｘ１、ｏｒｉｇｉｎａｌ＿ｎｅｔｗｏｒｋ＿ｉｄ＝ｙ１）とが記述される。他の記述内容は、上記実施の形態で示したイベントグループ記述子３４４と同様である。
【０１４６】
このように、イベントグループ記述子にストリームＩＤとネットワークＩＤを追加するのは、以下の理由による。
【０１４７】
本変形例では、異なるＴＳに編成チャンネルが分かれて含まれていることから、参照情報としては、編成チャンネルＩＤ（ｓｅｒｖｉｃｅ＿ｉｄ）と番組ＩＤ（ｅｖｅｎｔ＿ｉｄ）に加えて、ＴＳを特定するためのｔｒａｎｓｐｏｒｔ＿ｓｔｒｅａｍ＿ｉｄとｏｒｉｇｉｎａｌ＿ｎｅｔｗｏｒｋ＿ｉｄが必要となるからである。これら情報を追加することで、互いのサイマル放送番組を特定することができるようになる。
【０１４８】
ＴＳ１３００ｂに含まれるＰＭＴ１３０４ｂには、上記実施の形態で示したＰＭＴ３０４と同様に、当該ＴＳ１３００ｂに含まれる３Ｄ映像の再生方式が記載されている。
【０１４９】
以上のように、サイマル放送に係る各番組が個別のＴＳで配信される場合であっても、番組情報であるＥＩＴ内にサイマル放送番組を関連付ける情報を追加することで、サイマル放送番組間を互いに切替えて再生することが実現できる。
【０１５０】
なお、サイマル放送番組が１ＴＳに含まれるときと、異なる２つのＴＳに分かれて含まれる場合では互いの番組情報への参照情報が異なることから、イベントグループ記述子で定義されるｇｒｏｕｐ＿ｔｙｐｅは異なる値が定義されてもよい。
【０１５１】
２．６  変形例２
上記実施の形態では、サイマル放送により２番組及び３Ｄ番組が存在する場合には、イベントグループ記述子に新たな記述内容を定義し、２Ｄ番組及び３Ｄ番組を紐付けた。新たな記述内容を追加すると、既存のデジタルテレビ（３Ｄ非対応のデジタルテレビ）では、当該新たな記述内容を解釈することができないため、サイマル放送番組間を互いに切替えて再生することができない可能性がある。
【０１５２】
そこで、本変形例では、既存のデジタルテレビにおいても、サイマル放送番組間を互いに切替えて再生することができるようＥＩＴの記述内容を定義する。
【０１５３】
図１３は、本変形例において、サイマル放送における２つの番組が１つのＴＳ２３００により配信される場合の一例を示すものである。ＴＳ２３００は、図１３に示すように、ＥＩＴ２３０２、２３０３が含まれている。
【０１５４】
ＥＩＴ２３０２には、編成チャンネル“１”、イベント識別子“１００”（ｅｖｅｎｔ＿ｉｄ＝１００）である２Ｄ番組の番組情報が記載されている。
【０１５５】
ＥＩＴ２３０２の記述子２３３０には、イベント識別子（ｅｖｅｎｔ＿ｉｄ）、開始時刻（ｓｔａｒｔ＿ｔｉｍｅ）、放送時間（ｄｕｒａｔｉｏｎ）、番組名（ｅｖｅｎｔ＿ｎａｍｅ）及びイベントグループ記述子２３３１が記載されている。イベント識別子、開始時刻、放送時間、及び番組名については、上記実施の形態で示すＥＩＴ３０２のものと同様である。
【０１５６】
ＥＩＴ２３０２におけるイベントグループ記述子２３３１には、従来と同様に、イベントを共有する内容が記載されている。具体的には、イベントグループ記述子２３３１のｇｒｏｕｐ＿ｔｙｐｅ＝０ｘ１の記載により当該イベントグループ記述子２３３１がイベント共有に関する記述であることが分かる。また、ＥＩＴ２３０２が参照される側であるため、イベントグループ記述子２３３１には、参照される側の情報（ｓｅｒｖｉｃｅ＿ｉｄ＝１及びｅｖｅｎｔ＿ｉｄ＝１００）、参照する側の情報（ｓｅｒｖｉｃｅ＿ｉｄ＝２及びｅｖｅｎｔ＿ｉｄ＝２００）が記載されている。このような記載内容は、既に規定されており、従来のデジタルテレビにおいても解釈が可能である。
【０１５７】
ＥＩＴ２３０３には、編成チャンネル“２”、イベント識別子“２００”（ｅｖｅｎｔ＿ｉｄ＝２００）である３Ｄ番組の番組情報が記載されている。
【０１５８】
ＥＩＴ２３０３の記述子２３４０には、イベント識別子（ｅｖｅｎｔ＿ｉｄ）、開始時刻（ｓｔａｒｔ＿ｔｉｍｅ）、放送時間（ｄｕｒａｔｉｏｎ）、番組名（ｅｖｅｎｔ＿ｎａｍｅ）及びイベントグループ記述子２３４１、及び記述子２３４２が記載されている。イベント識別子、開始時刻、放送時間、及び番組名については、上記実施の形態で示すＥＩＴ３０３のものと同様である。
【０１５９】
ＥＩＴ２３０３におけるイベントグループ記述子２３４１には、従来と同様に、イベントを共有する内容が記載されている。具体的には、イベントグループ記述子２３３１のｇｒｏｕｐ＿ｔｙｐｅ＝０ｘ１の記載により当該イベントグループ記述子２３３１がイベント共有に関する記述であることが分かる。また、ＥＩＴ２３０３は参照する側であるため、イベントグループ記述子２３４１には、参照される側の情報（ｓｅｒｖｉｃｅ＿ｉｄ＝１及びｅｖｅｎｔ＿ｉｄ＝１００）のみが記載されている。このような記載内容は、既に規定されており、従来のデジタルテレビにおいても解釈が可能である。
【０１６０】
さらに、記述子２３４２は、コンテント記述子２３４３及びイベントグループ記述子２３４４を含んでいる。コンテント記述子２３４３及びイベントグループ記述子２３４４は、上記実施の形態で示したコンテント記述子３４３及びイベントグループ記述子３４４と同様の記載内容である。つまり、これら記載内容は、新たな記述内容が追加されているため、従来のデジタルテレビでは解釈できない内容である。
【０１６１】
しかしながら、従来のデジタルテレビで解釈することのできる記述子２３４０の後に、従来のデジタルテレビでは解釈できない記述子２３４２を配置することで、従来のデジタルテレビは、記述子２３４０の内容から、ｓｅｒｖｉｃｅ＿ｉｄ＝２に係る番組は、ｓｅｒｖｉｃｅ＿ｉｄ＝１に係る番組とイベント共有されていると解釈する。
【０１６２】
ここで、記述子２３４２を解釈することのできるデジタルテレビ、及び記述子２３４２を解釈することができない、従来のデジタルテレビそれぞれにおけるＥＰＧでの番組の表示例を、図１４に示す。
【０１６３】
図１４（ａ）は、記述子２３４２を解釈することのできるデジタルテレビで表示されるＥＰＧ５００の一例を示している。この場合、当該デジタルテレビでは、記述子２３４２を解釈することで、ＥＰＧ５００において、上記実施の形態と同様に、２Ｄ番組としての“野球中継”５０１、及び３Ｄ番組としての“野球中継”５０２が、それぞれ区別して表示される。
【０１６４】
図１４（ｂ）は、従来のデジタルテレビで表示されるＥＰＧ５５０の一例を示している。この場合、従来のデジタルテレビでは、記述子２３４２を解釈できないので当該記述子２３４２の記述内容は無視される。そして、ＥＰＧ５５０では、解釈された記述子２３４０のイベントグループ記述子２３４１でのイベント共有の記載内容に基づいて、１つの番組（２Ｄ番組としての野球中継）５５１のみが表示される。
【０１６５】
２．７  変形例３
図１５は、デジタルテレビにおけるＥＰＧの表示について、図８とは異なる表示例を示すものである。
【０１６６】
上記実施の形態で説明したように、２Ｄ番組と３Ｄ番組とのサイマル放送の際、番組情報としては、各編成チャンネルに２Ｄ番組に対応する番組情報と３Ｄ番組に対応する番組情報がそれぞれ１つのＴＳ３００に含まれて送信されている。
【０１６７】
ＴＳ３００を受信したデジタルテレビが３Ｄ方式に対応している場合には、ＥＰＧを図８にて示すような形式表示しても問題はない。
【０１６８】
一方、３Ｄ方式に非対応のデジタルテレビならば、デジタルテレビは３Ｄ放送を再生することができない。番組が３Ｄ映像を含むかどうかということは、当該番組の番組情報であるＥＩＴの中のコンテント記述子で「３Ｄ映像＝有」の記述を検知することで識別することができる。３Ｄ方式に非対応のデジタルテレビが、「３Ｄ映像＝有」の記述を検知した際に、３Ｄ視聴できない旨をユーザに明示することが考えられる。
【０１６９】
そこで、図１５に示すように、放送中の当該番組の３Ｄ方式に非対応テレビのＥＰＧ６００では、２Ｄ番組としての“野球中継”６０１と３Ｄ番組としての“野球中継”６０２との表示について色分けし、３Ｄ番組については当該デジタルテレビでは視聴できないことを明示する。すなわち色を変えることによってユーザに当該番組が３Ｄであること、および視聴不可であることをユーザに対して示すことができる。
【０１７０】
なお、放送中の３Ｄ方式に非対応テレビでは、ユーザが３Ｄ番組を選択できないようにＥＰＧ選択を制限してもよいが、上述のような色分けをする目的は、ユーザに対して「番組が３Ｄ放送である」、という事実を認知させることにあるため、ユーザはＥＰＧから３Ｄ番組を選択できてもかまわない。
【０１７１】
選択可能とする場合において、ユーザが３Ｄ方式に非対応のデジタルテレビで３Ｄ番組を選択したときのデジタルテレビの動作は、上記実施の形態と同様となるので、ここでの説明は省略する。
【０１７２】
また別の表示方法として、図１６に示すように、３Ｄ方式非対応テレビで３Ｄ番組を再生できない場合には、そもそもＥＰＧには表示しないようにしてもよい。
【０１７３】
サービス２の野球中継における番組情報には、「３Ｄ映像＝有」を示す情報と３Ｄ方式を示す情報を含んでいる。これらの情報から、サービス２の野球中継の番組がＳＢＳ方式の３Ｄ番組であることが判別できる。また、番組情報にサイマル放送が存在して、関連付ける情報としてチャンネルＩＤと番組ＩＤから、サービス１の野球中継の番組へのリンク情報を有している。
【０１７４】
以上から、当該デジタルテレビが３Ｄ放送方式に非対応のとき、視聴できない３Ｄ番組をＥＰＧ上に表示する代わりに、サービス１の２Ｄ放送の野球中継の番組６５１が再生されるように、ＥＰＧ６５０の番組欄を連結して表示させてもよい（図１５参照）。
【０１７５】
この表示方法では、ユーザは視聴可能なものだけを目にするため、無用な混乱を与えることはない。
【０１７６】
しかしながら、実際には３Ｄ放送が存在しているにもかかわらず、ユーザに３Ｄ放送を提示しないことは、ユーザの機会を逸することにもなる。その点では前者（２Ｄ番組と３Ｄ番組とを色分けして表示する方法）は、３Ｄ番組が放送されていることをユーザに周知できるため、３Ｄ番組視聴への関心を与える一助ともなる。
【０１７７】
２．８  変形例４
ここでは、３Ｄ放送の放送形態としてイベントリレー放送を実施する際の、番組情報を関連付ける方法について説明する。
【０１７８】
イベントリレー放送（以下、リレー放送と呼ぶ）とは、番組コンテンツの途中で異なる編成チャンネル（サービス）を跨いで継続的に放送する放送形態である。
【０１７９】
図１７では、野球中継の番組を例にとり、同一チャンネルにおけるサービス１とサービス２との間でリレー放送するときの番組情報を示している。なお、図１７に示す野球中継の番組はサイドバイサイド（ＳＢＳ）方式による３Ｄ放送である。
【０１８０】
また、説明の便宜上、サービス１にて１８：００〜１９：００の時間で放送される野球中継の番組における番組情報を、第１の番組情報７００とし、サービス２にて１９：００〜２１：００の時間で放送される野球中継の番組における番組情報を、第２の番組情報７１０とする。
【０１８１】
第１の番組情報７００と第２の番組情報７１０には、それぞれの番組を識別するための番組ＩＤ（ｅｖｅｎｔ＿ｉｄ）が割当てられる。具体的には、第１の番組情報にはイベントＩＤとして値“３００”が、第２の番組情報にはイベントＩＤとして値“４２０”が、それぞれ割当てられている。
【０１８２】
また、第１の番組情報７００と第２の番組情報７１０それぞれに対する番組の放送形態は「３Ｄ放送」であって、番組情報から「３Ｄ放送」であることを識別可能とするためにコンテント記述子７０１、７１１にて３Ｄ識別信号が記述されている。例えば、コンテント記述子７０１には、“ｃｏｎｔｅｎｔ＿ｎｉｂｂｌｅ＿ｌｅｖｅｌ＿１＝０ｘＥ”、“ｃｏｎｔｅｎｔ＿ｎｉｂｂｌｅ＿ｌｅｖｅｌ＿２＝０ｘ０”、及び“ｕｓｅｒ＿ｎｉｂｂｌｅ＝０ｘ２０”が記載されている。デジタルテレビは、上記内容を検出することで、番組中に「３Ｄ映像あり」ということが判明し「３Ｄ放送」であることがわかる。
【０１８３】
さらに、番組が３Ｄ放送である場合、その放送で使用される「３Ｄ再生方式」を番組情報に記載する。具体的には、イベントを構成する映像コンポーネントストリーム属性を記述するコンポーネント記述子にて、３Ｄ放送で使用される「３Ｄ再生方式」を記述する。例えば、コンポーネント記述子のｃｏｍｐｏｎｅｎｔ＿ｔｙｐｅに「３Ｄ再生方式」として”ＳＢＳ”を表す値を定義して記述することによって、サイドバイサイド（ＳＢＳ）方式の３Ｄ番組であることを表せる。また、ＭＶＣ方式である場合には、ｃｏｍｐｏｎｅｎｔ＿ｔｙｐｅに“ＭＶＣ”を表す値を定義して記述する。
【０１８４】
第１の番組情報７００と第２の番組情報７１０とは、各々番組ＩＤ（ｅｖｅｎｔ＿ｉｄ）で識別される別個の番組であり、上記の「３Ｄ放送」であることを示すコンテント記述子７０１、７１１及び「３Ｄ再生方式」を表すコンポーネント記述子７０２、７１２において、各々の番組情報として記載される。
【０１８５】
一方、第１の番組情報７００と第２の番組情報７１０がリレー放送として継続する番組であるということを関連付ける情報としては、従来の２Ｄ放送においてＡＲＩＢ規格（ＡＲＩＢ  ＳＴＤ−Ｂ１０）で規定されている方法と同様に、イベントグループ記述子によるイベントリレー用の参照情報を第１の番組情報に記述する。具体的には、イベントグループ記述子７０３に含まれるグループ種別で、ｇｒｏｕｐ＿ｔｙｐｅ＝２（イベントリレー）を記述すれば、リレー放送にて後続する番組情報へのリンク情報を示すことができる。
【０１８６】
図１７では、第１の番組情報７００から第２の番組情報７１０へのリレー放送を示しており、第１の番組情報７００の中に、第２の番組情報７１０が属するサービス２のチャンネルＩＤ（すなわち、ｓｅｒｖｉｃｅ＿ｉｄ＝２）と、第２の番組情報７１０の番組ＩＤ（すなわち、ｅｖｅｎｔ＿ｉｄ＝４２０）を記載している。このグループ種別がイベントリレーであるイベントグループ記述子によって、二つの番組がリレー放送の関係にあることが判明し、第１の番組情報７００で示される番組から第２の番組情報７１０で示される番組へと継続することがわかる。
【０１８７】
ここで、従来の２Ｄ放送におけるリレー放送であれば、リレー放送の番組間で放送形態が変わるということは特に想定はされていなかったが、３Ｄ放送になると、同一の番組であっても２Ｄ放送と３Ｄ放送とのサイマル放送が行われたり、３Ｄ放送であってもその方式が異なる（ＭＶＣ方式やＳＢＳ方式といった違いがある）ことも考えられる。そのため、３Ｄ放送におけるリレー放送では、リレー放送の番組間において番組の放送形態に違いがあると正しく接続して視聴することができない恐れがある。したがって、３Ｄのリレー放送ではリレーする前後の番組の放送形態が同じであることが望ましい。
【０１８８】
図１７に示すように、第１の番組情報に記述されるイベントグループ記述子７０３によって、第１の番組情報７００と第２の番組情報７１０がリレーすることが判明し、且つ、第１の番組情報７００に３Ｄ識別信号を表すコンテント記述子が存在するならば、第２の番組情報７１０もまた３Ｄ放送であって、３Ｄ識別信号を表すコンテント記述子が存在しなければならない。すなわち、３Ｄ番組からリレー放送される番組もまた３Ｄ番組であるべきである。
【０１８９】
さらに、第１の番組情報７００及び第２の番組情報７１０それぞれで示される番組がともに３Ｄ放送であるときは、それらの３Ｄ方式は同一であるように記述されなければならない。ここでは、図１７に示すように、第１の番組情報７００のコンポーネント記述子７０２のｃｏｍｐｏｎｅｎｔ＿ｔｙｐｅが”ＳＢＳ”であるとき、第２の番組情報７１０のコンポーネント記述子７１２のｃｏｍｐｏｎｅｎｔ＿ｔｙｐｅもまた”ＳＢＳ”である。
【０１９０】
なお、第１の番組情報７００が３Ｄ識別信号を有していないならば、第２の番組情報７１０もまた３Ｄ識別信号を有すべきではない。ただし、第２の番組情報７１０が２Ｄ再生と互換性のある３Ｄ再生方式（例えばＭＰＥＧ４−ＭＶＣ方式）ならば、３Ｄ識別信号があってもよいが、再生時には２Ｄ互換再生されなければならない。
【０１９１】
以上のようにすることにより、３Ｄ番組のリレー放送においてもスムーズな番組視聴の継続が実現できる。
【０１９２】
なお、上述するイベントリレー番組を録画するレコーダでは、リレー放送される２つの番組を１つの番組として連結して記録することもできる。このとき２つの異なる編成チャンネルに跨ったストリーム間で放送形態が変わらないことにより、レコーダはストリームの単純な結合だけでよく、容易な実装にてユーザにスムーズな視聴の提供を保証することができる。
【０１９３】
以上が３Ｄ放送のイベントリレー放送における番組情報を関連付ける方法について説明である。
【０１９４】
３．その他の変形例
また、上記各実施の形態などに限らず、例えば、以下のような変形例が考えられる。
【０１９５】
（１）上記実施の形態では、受信再生装置の一例としてデジタルテレビであるとしたが、これに限定されない。受信再生装置は、ＤＶＤレコーダ、ＢＤ（Ｂｌｕ−ｒａｙ  Ｄｉｓｃ）レコーダやセットトップボックス等、トランスポートストリームを受信し、再生する装置であればよい。
【０１９６】
（２）上記実施の形態において、３Ｄ再生方式は、ＰＭＴに記載されるとしたが、これに限定されない。
【０１９７】
３Ｄ再生方式は、ＥＩＴのコンポーネント記述子に記載してもよい。
【０１９８】
（３）上記実施の形態において、図１０に示す受信再生装置の動作は、一例であり、同図に示す動作に限定されない。
【０１９９】
図１０に示す各ステップが部分的に実用化、運用されてもよい。例えば、ステップＳ１１５では３Ｄ再生方式の違いによる再生方法を分岐しているが、当該ステップを省略し、ステップＳ１２０による分岐を行う、つまり２Ｄサイマル方法が存在するか否かによってだけで２Ｄ再生する番組が切替えられてもよい。
【０２００】
（４）上記実施の形態において、図１０に示す動作は、視聴再生時に適用しているが、これに限定されない。
【０２０１】
当該動作を、予約録画機能を備えるレコーダに対しても適用してもよい。すなわち、ユーザが予約録画した番組が３Ｄ番組であったとき、レコーダが３Ｄ再生方式に対応しなければ同様の手順にて２Ｄ番組を選局して録画すればよい。
【０２０２】
（５）同じ番組内容であって、２Ｄと３Ｄの違いのみの２つの番組情報を紐付けるリンク情報としては、必ずしも同時刻に放送されることに限定されるものではなく、異なる時間帯に放送される２つの番組情報間で２Ｄと３Ｄを振り替えることができてもよい。
【０２０３】
これは予約録画機能を備えるレコーダにおいて、３Ｄ視聴に非対応の場合には、ユーザが３Ｄ番組を予約録画したとしても録画可能な２Ｄ番組に自動的に切替えて録画を実行する機能として有効である。
【０２０４】
（６）上記実施の形態において、サイマル放送の関係にある２つ以上の番組の関連付けを、イベントグループ記述子を用いて行ったが、これに限定されない。
【０２０５】
サイマル放送の関係にある２つ以上の番組を関連付けるものとして新たな構造の記述子を利用してもよい。
【０２０６】
また、サイマル放送の番組情報間を双方向に参照することもできるが、番組間に主従関係を定義して一方向に参照づけする方法であってもよい。例えば、２Ｄ番組と３Ｄ番組のサイマル放送に対して、２Ｄ番組を主放送、３Ｄ番組を従属放送と定義したときは、従属放送である３Ｄ番組の番組情報にだけイベントグループ記述子を主放送である２Ｄ番組への参照情報を記述する方法もある。
【０２０７】
また、サイマル放送の関係にある２Ｄ番組及び３Ｄ番組の関連付けにおいて、上記実施の形態では、双方向に関連付けを行ったが、関連付けは少なくとも３Ｄ番組から２Ｄ番組への関連付けがなされていればよい。
【０２０８】
（７）上記実施の形態では、放送波としてサイマル放送を配信する際における２Ｄ番組と３Ｄ番組との紐付けを行ったが、これに限定されない。
【０２０９】
放送波として配信されるサイマル放送だけでなく、ＰＣ（Ｐｅｒｓｏｎａｌ  ｃｏｍｐｕｔｅｒ）による配信、ＩＰ（Ｉｎｔｅｒｎｅｔ  Ｐｒｏｔｏｃｏｌ）放送、及びＶＯＤ（Ｖｉｄｅｏ  ＯＮ  Ｄｅｍａｎｄ）によるサイマル放送について、２Ｄ番組と３Ｄ番組との紐付けを行ってもよい。
【０２１０】
この場合の紐付け方法として、リンク先の番組が格納されている場所を示すＵＲＬ（Ｕｎｉｆｏｒｍ  Ｒｅｓｏｕｒｃｅ  Ｌｏｃａｔｏｒ）を用いる。
【０２１１】
当該ＵＲＬは、番組が配信されるストリーム中に、当該番組とともに記述されてもよいし、番組表を構成するファイルに記述されてもよい。
【０２１２】
または、ＵＲＬやイベントグループ記述子などの紐付け情報により、放送、ＰＣ（Ｐｅｒｓｏｎａｌ  ｃｏｍｐｕｔｅｒ）による配信、ＩＰ（Ｉｎｔｅｒｎｅｔ  Ｐｒｏｔｏｃｏｌ）放送、及びＶＯＤ（Ｖｉｄｅｏ  ＯＮ  Ｄｅｍａｎｄ）といった異なる配信形態間で番組の紐付けを行ってもよい。
【０２１３】
この場合、紐付け情報を用いて、視聴環境（テレビ、ＰＣ、モバイル端末等）に応じて最適な放送（ストリーム）を選択できるようにしてもよい。
【０２１４】
（８）上記実施の形態では、３Ｄ番組が視聴できないデジタルテレビで、３Ｄ番組が視聴対象の番組として選択された場合に、リンク情報を用いて２Ｄ番組への切り替えを行うことを説明した。
【０２１５】
リンク情報の利用は、上記の場合に限られない。
【０２１６】
例えば、３Ｄ視聴が可能なデジタルテレビにおいて、サイマル放送における２Ｄ番組を視聴中に、リモコンのボタン等で２Ｄ視聴から３Ｄ視聴への切り替え指示があった場合には、視聴中の２Ｄ番組に対応するＥＩＴに記載されたリンク情報を用いて、サイマル放送における３Ｄ番組への切り替えを行ってもよい。
【０２１７】
または、３Ｄ視聴が可能なデジタルテレビにおいて、ＥＰＧに、２Ｄ番組と３Ｄ番組とからなるサイマル放送が表示されている場合、２Ｄ番組が選択されると、リンク情報を用いて３Ｄ番組へと優先的に切り替えてもよい。
【０２１８】
（９）上記実施の形態において、ＥＩＴ３０２、３０３の生成、特にイベントグループ記述子３３３、３４４の生成は、例えば、ＥＩＴを生成する装置（送信装置１００又は外部の装置）において、パラメータ変数として、“ｇｒｏｕｐ＿ｔｙｐｅ”、“ｓｅｒｖｉｃｅ＿ｉｄ”及び“ｅｖｅｎｔ＿ｉｄ”を予め記憶しておき、これらパラメータ変数に対する情報をユーザから受け付けることで行ってもよい。また、上記生成の方法は、一例であり他の方法であってもよい。
【０２１９】
なお、イベントグループ記述子３３３、３４４に記載内容以外は、従来の記載内容となんら変更はないため、説明は省略する。
【０２２０】
（１０）本実施の形態では、２Ｄ放送方式と３Ｄ放送方式とのサイマル放送を想定しているが、本発明が適用されるのは、どのような組み合わせの放送方式でのサイマル放送であってもよい。
【０２２１】
本発明の本質とするところは、新しい放送方式が運用されるときに、現行の放送方式で継続視聴する視聴者に対して、映像品質を落とすことなく後方互換性を保ってサービスを提供することである。
【０２２２】
例えば、今後提供が期待されるものとしては、現行方式の映像解像度であるＦｕｌｌ ＨＤ(１９２０×１０８０)に対して、それを上回るより高画質高精細な４Ｋ２Ｋ解像度や８Ｋ４Ｋ解像度の映像サービスを提供するものがある。
【０２２３】
この場合、２Ｄ方式／３Ｄ方式のサイマル放送の場合と同じようにして、Ｆｕｌｌ ＨＤ方式／４Ｋ２Ｋ方式のサイマル放送、あるいは、Ｆｕｌｌ ＨＤ方式／８Ｋ４Ｋ方式のサイマル放送が運用される可能性がある。このとき、本発明における３Ｄ放送方式が４Ｋ２Ｋ方式に置き換えられたとしてもなんらその作用、効果に変わりはなく、後方互換性を確保する手段として有効である。
【０２２４】
（１１）上記実施の形態において、解像度がＨａｌｆ  ＨＤとなる３Ｄ映像の一例としてＳＢＳ方式を用いたが、解像度がＨａｌｆ  ＨＤとなる３Ｄ映像はこれに限定されない。例えば、左目用映像と右目用映像をそれぞれ垂直方向に１／２に圧縮した映像を２つ縦に並べる方式であるトップアンドボトム方式であってもよい。
【０２２５】
また、２Ｄ再生との互換性のある方式としてＭＶＣを用いたが、２Ｄ再生との互換性のある方式はこれに限定されない。例えば、ＭＰＥＧ２形式により生成されたデュアルストリームであってもよい。デュアルストリームとは、互いに独立した左目用のストリームと右目用のストリームとからなるものである。
【０２２６】
（１２）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２２７】
（１３）上記の各装置を構成する構成要素の一部または全部は、１個の集積回路から構成されているとしてもよい。
【０２２８】
（１４）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。
【０２２９】
（１５）上記の実施の形態及び変形例で説明した手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【０２３０】
また、当該手法の手順を記述したプログラムを記録媒体に格納して、頒布するようにしてもよい。なお、上記プログラムを記憶する媒体としては、例えば、ＩＣカード、ハードディスク、光ディスク、フレキシブルディスク、ＲＯＭ、フラッシュメモリ等がある。
【０２３１】
（１６）上記実施の形態及び上記変形例をそれぞれ組み合わせるとしてもよい。
【０２３２】
４．まとめ
近年、デジタルテレビ放送において３Ｄ番組の放送が拡大しつつあるが、３Ｄの視聴環境が整っていないデジタルテレビでは、ユーザ操作により視聴すべき番組として３Ｄ番組が選択された場合、３Ｄ番組として放送された各映像を２Ｄ表示のよる再生を行うこととなる。
【０２３３】
そこで、同一の番組内容に対して、２Ｄ再生と３Ｄ再生の両方をサポートすることが要件として求められる。このとき、２Ｄ表示する際には、Ｆｕｌｌ  ＨＤの映像として再生するのが望ましい。そのため、放送局側（送信装置側）では、上記実施の形態で示すように、同一の番組内容に対して２Ｄ再生用の番組と３Ｄ再生用の番組の２つの番組をサイマル放送により放送する。
【０２３４】
また、３Ｄ番組に対するＰＳＩ／ＳＩのような番組配列情報の中にはコンテンツ内容を記載する記述子にて当該番組が３Ｄ映像を含むかどうかを識別する３Ｄ映像識別信号が含まれている。そこで、デジタルテレビがＥＰＧを画面に表示する際には、３Ｄ映像識別信号を検出して、ＥＰＧ上に３Ｄ番組であることを明示するために利用することができる。
【０２３５】
サイマル放送により、同一内容の番組について２Ｄ用の番組と３Ｄ用の番組とが同一時刻で放送される場合には、３Ｄ映像識別信号の有無に応じて、ＥＰＧでは、例えば図８のように、２Ｄ番組と３Ｄ番組の両方を区別して表示し、サイマル放送が行われていることを視覚的に示す必要がある。なぜなら、現状では、各ユーザの視聴環境としては、３Ｄ対応テレビと３Ｄ非対応テレビは入り混じって存在し、同じ番組でもさまざまな視聴形態で視聴されるケースが今後あり続けると考えられるからである。
【０２３６】
３Ｄ再生に非対応であるデジタルテレビ（以下、３Ｄ非対応テレビという。）及び３Ｄ再生に対応したデジタルテレビ（以下、３Ｄ対応テレビという。）の双方において、ＥＰＧ上に２Ｄ番組と３Ｄ番組の両方を区別して表示してもなんら問題はない。
【０２３７】
３Ｄ対応デジタルテレビでは、３Ｄ番組があることをＥＰＧにてユーザに明示することによって、ユーザは３Ｄ番組を容易に視聴することができる。
【０２３８】
しかしながら、３Ｄ非対応テレビでは、ユーザが３Ｄ番組の存在を知り得ても３Ｄ番組を視聴再生することはできないので、ユーザに３Ｄ番組を選択できないように操作を禁止させることもできるが、ユーザの不便を排除するため３Ｄ番組をＥＰＧから選択することを許可することも考えられる。ただし、ＥＰＧから３Ｄ番組を選択したとしても３Ｄ番組を視聴再生することはできないので、３Ｄ映像を２Ｄ表示することとなる。
【０２３９】
３Ｄ番組の映像がＭＰＥＧ４−ＭＶＣ方式のようにＦｕｌｌ  ＨＤでかつ２Ｄと互換性のあるストリームならば、３Ｄ放送番組用に送信されるストリームをそのまま２Ｄ映像にて再生しても、２Ｄ映像の画質と同様の画質で視聴することができる。
【０２４０】
一方、ＳＢＳ方式の３Ｄ映像の場合、ＳＢＳ映像は２Ｄ化して表示すると解像度が本来のＦｕｌｌ  ＨＤに対して１／２に落ちてしまう。そのため、このときは２Ｄ視聴するユーザと比較して、画質の悪い映像で視聴することとなる。
【０２４１】
そこで、上記実施の形態で示すように、３Ｄ非対応テレビでの視聴においては、編成チャンネル上において３Ｄ放送と同じ番組を２Ｄ番組として同時放送（サイマル放送）されていれば、サイマル放送における２Ｄ番組に切替えて視聴再生すればよい。これにより、画質を落とすことなく、Ｆｕｌｌ  ＨＤの２Ｄ番組をユーザに視聴させることができる。
【０２４２】
本実施の形態では、ユーザに２Ｄ番組のサイマル放送に切替えることを意識させることなく、デジタルテレビが自動的に選局して切替える仕組みを導入している。
【０２４３】
具体的には、トランスポートストリーム中のＥＩＴに、２Ｄ番組と３Ｄ番組の双方の番組情報にサイマル放送番組であることを関連付けるリンク情報（紐付け情報）を付加する。
【０２４４】
リンク情報が付加された場合であっても、ＥＰＧ上の表示においては、２Ｄ番組と３Ｄ番組とは編成チャンネルも異なり、番組情報としても独立であるため、個別に表示されることも許される。そのため、２Ｄ番組と３Ｄ番組とのサイマル放送を実施するとき、ＥＰＧ上は、２つのチャンネルそれぞれに２Ｄ放送用と３Ｄ放送用の同じ番組が、それぞれ表示されることになる。
【０２４５】
このとき、本実施の形態では、２Ｄ番組を視聴するユーザの操作としては当該番組をＥＰＧ上から選択する際、表示される２Ｄ番組と３Ｄ番組のいずれを選んでもなんら問題はない。なぜなら、３Ｄ非対応テレビにおいて、ユーザがＥＰＧから３Ｄ番組の項目を選択したとしても、３Ｄ非対応テレビでは、リンク情報を利用して、自動的にサイマル放送における２Ｄ番組にリンクさせることができ、２Ｄ番組を再生するからである。
【０２４６】
このように、本実施の形態では、２Ｄ番組と３Ｄ番組とのサイマル放送が実施される場合には、送信装置が、２Ｄ番組と３Ｄ番組の双方の番組情報にサイマル放送番組であることを関連付けるリンク情報を送信することで、受信再生装置では、ユーザが３Ｄ番組を選択した場合であっても、リンク情報を用いることで、ユーザに２Ｄ番組のサイマル放送に切替えることを意識させることなく、２Ｄ番組を再生することができる。
【０２４７】
６．補足
（１）本発明の一態様は、送信装置であって、サイマル放送における３Ｄ用ストリームへのアクセスに係る３Ｄ用アクセス情報、及び当該サイマル放送における２Ｄ用ストリームへのアクセスに係る２Ｄ用アクセス情報の双方を保持している保持手段と、前記３Ｄ用アクセス情報、及び前記２Ｄ用アクセス情報の双方を送信する送信手段とを備えることを特徴とする。
【０２４８】
この構成によると、送信装置は、サイマル放送における３Ｄ用アクセス情報及び２Ｄ用アクセス情報の双方を出力する。そのため、２Ｄストリームの再生を行う装置では２Ｄ用アクセス情報を、３Ｄ用ストリームの再生を行う装置では３Ｄ用アクセス情報を、それぞれ利用することで、自身の視聴環境に応じた再生を行うことができる。なお、２Ｄ用アクセス情報とは、上記実施の形態における、２Ｄ番組に対するＥＩＴの記述内容、及び３Ｄ番組に対するＥＩＴで記述されたリンク情報の双方の概念を含むものである。また、保持手段は、上記実施の形態における番組配列情報格納部１０９に相当するものであり、送信手段は、上記実施の形態における多重化部１０７及び送信部１０８の組み合わせに相当するものである。
【０２４９】
（２）ここで、前記３Ｄ用ストリームは、ＭＰＥＧ２−ＴＳ形式のストリームであり、前記保持手段は、前記３Ｄ用アクセス情報及び前記２Ｄ用アクセス情報の双方ともが記載された、前記３Ｄ用ストリームに対応するＥＩＴ（Ｅｖｅｎｔ  Ｉｎｆｏｒｍａｔｉｏｎ  Ｔａｂｌｅ）を保持し、前記送信手段は、  前記３Ｄ用ストリームと、前記ＥＩＴとが少なくとも多重化されたデータストリームを送信するとしてもよい。
【０２５０】
この構成によると、送信装置は、３Ｄ用アクセス情報及び２Ｄ用アクセス情報の双方を、３Ｄ用ストリームに対応するＥＩＴに含めている。そのため、２Ｄ用ストリームの再生を行う装置において、前記ＥＩＴの内容に基づいて表示されたＥＰＧから３Ｄ用ストリームが選択されたとしても、３Ｄ用ストリームから２Ｄ用ストリームへの切替えることをユーザに意識させることなく、２Ｄ用アクセス情報を用いて前記２Ｄ用ストリームにアクセスさせることができる。
【０２５１】
（３）ここで、前記データストリームには、当該データストリーム中の３Ｄ用ストリームにおける各フレームの再生方式について、１つの視点の映像から構成されているフレームの再生方式であるか、複数の視点の各映像からなるフレームの再生方式であるかを示す３Ｄ再生方式情報が含まれるとしてもよい。
【０２５２】
この構成によると、送信装置は、データストリームに３Ｄ再生方式を含めて送信している。これにより、送信装置は、２Ｄ用ストリームの再生を行う装置で３Ｄ用ストリームが選択された場合、３Ｄ再生方式が示す再生方式に応じて３Ｄ用ストリーム及び２Ｄ用ストリームの何れかを、２Ｄ用ストリームの再生を行う装置に選択させることができる。なぜなら、再生方式が１つの視点の映像から構成されたフレームの再生方式を示す場合には、当該１つの視点の映像の解像度と、２Ｄ用ストリームの映像の解像度とは同等であるため、３Ｄ用ストリームから１つの視点の映像を再生しても２Ｄ用ストリームの再生と画質面で同じとなる。また、再生方式が複数の視点の映像から構成されたフレームの再生方式を示す場合には、３Ｄ用ストリームの映像の解像度は、２Ｄ用ストリームの映像の解像度よりも低いため、２Ｄ用ストリームを再生させることで、高画質の画像を提供することができるからである。
【０２５３】
（４）ここで、前記３Ｄ用アクセス情報は、前記ＥＩＴにおいて、前記２Ｄ用アクセス情報の後に配置されているとしてもよい。
【０２５４】
この構成によると、送信装置は、３Ｄ用ストリームに対するＥＩＴにおいて、３Ｄアクセス情報を２Ｄアクセス情報の後に配置して送信しているので、３Ｄアクセス情報を解釈できない受信側の装置に対して、当該ＥＩＴを解釈させる際には必ず先に２Ｄアクセス情報を解釈させることができる。
【０２５５】
（５）また、本発明の一態様は、配信されたストリームを受信し、２Ｄ映像の再生を行う受信再生装置であって、ユーザからの操作により受信再生すべきストリームの選択を受け付ける受付部と、２Ｄ用ストリーム及び３Ｄ用ストリームによるサイマル放送が配信されているか否かを判別するためのサイマル放送判別情報を受信する受信手段と、前記受付部が受信再生すべきストリームとして３Ｄ用ストリームの選択を受け付けた場合、前記サイマル放送判別情報を用いて当該３Ｄ番組に対応する２Ｄ番組がサイマル放送として配信されているか否かを判断する判断手段と、前記判断手段の判断結果が肯定的である場合には、前記サイマル放送における２Ｄ用ストリームの再生を行い、前記判断手段の判断結果が否定的である場合には、前記サイマル放送における３Ｄ用ストリームで２Ｄ表示するよう再生を行う再生手段とを備えることを特徴とする。
【０２５６】
この構成によると、受信再生装置は、３Ｄ用ストリームが選択されても、サイマル放送として２Ｄ用ストリームが配信されている場合には、当該２Ｄ用ストリームの再生を行う。これにより、受信再生装置は、３Ｄ用ストリームの選択の指示を受け付けた場合であっても、再生対象のストリームを３Ｄ用ストリームから２Ｄ用ストリームへの切替えることをユーザに意識させることなく行うことができる。ここで、受付部は、上記実施の形態における選択番組解析部２１３におけるユーザからの指示を受け付ける機能に相当する。受信手段は、チューナ２０１に相当し、判断手段は、選択番組解析部２１３におけるサイマル放送の有無を判断する機能に相当する。さらに、再生手段は、多重分離部２０２、映像デコード部２０５、音声デコード部２０６、映像処理部２０７及び表示部２０８の組み合わせに相当する。
【０２５７】
（６）ここで、前記サイマル放送判別情報は、ＭＰＥＧ２−ＴＳ形式のデータストリームに含まれる前記３Ｄ用ストリームに対応するＥＩＴ（Ｅｖｅｎｔ  Ｉｎｆｏｒｍａｔｉｏｎ  Ｔａｂｌｅ）であり、前記ＥＩＴには、２Ｄ用ストリーム及び３Ｄ用ストリームによるサイマル放送が提供される場合には、当該サイマル放送における３Ｄ用ストリームへのアクセスに係る３Ｄ用アクセス情報、及び当該サイマル放送における２Ｄ用ストリームへのアクセスに係る２Ｄ用アクセス情報の双方が記載されており、前記判断手段は、前記ＥＩＴに２Ｄ用アクセス情報が記載されているか否かを判断し、前記再生手段は、前記判断手段で前記ＥＩＴに２Ｄ用アクセス情報が記載されていると判断される場合には前記２Ｄ用アクセス情報を用いて前記２Ｄ用ストリームにアクセスし、前記判断手段で前記ＥＩＴに２Ｄ用アクセス情報が記載されていないと判断される場合には前記３Ｄ用アクセス情報を用いて前記３Ｄ用ストリームにアクセスするとしてもよい。
【０２５８】
この構成によると、受信再生装置は、ＥＩＴの記載内容に基づいて表示されたＥＰＧから３Ｄ用ストリームが選択されたとしても、３Ｄ用ストリームから２Ｄ用ストリームへの切替えることをユーザに意識させることなく、２Ｄ用アクセス情報を用いて前記２Ｄ用ストリームにアクセスすることができる。
【０２５９】
（７）ここで、前記判断手段は、前記判断に先立って、前記３Ｄ用ストリームにおける各フレームが、１つの視点の映像から構成されているか、複数の視点の各映像から構成されているかを判断し、前記再生手段は、前記３Ｄ用ストリームにおける各フレームが１つの視点の映像から構成されていると判断される場合、前記３Ｄ番組に対応する２Ｄ番組がサイマル放送として配信されているかにかかわらず、当該３Ｄ番組についての３Ｄ用ストリームを２Ｄ表示するよう再生するとしてもよい。
【０２６０】
この構成によると、受信再生装置は、サイマル放送の有無を判断する前に、３Ｄ用ストリームの各フレームの構成形態を判断している。これにより、受信再生装置は、ＥＰＧから３Ｄ用ストリームが選択されたとしても、３Ｄ用ストリームから２Ｄ用ストリームへの切替えを行わずとも、２Ｄ用ストリームの映像の解像度と同等の解像度の映像を２Ｄ表示で表示するよう再生することができる。なぜなら、３Ｄ用ストリームの各フレームが１つの視点の映像から構成されている場合には、当該１つの視点の映像の解像度と、２Ｄ用ストリームの映像の解像度とは同等であるため、３Ｄ用ストリームから１つの視点の映像を２Ｄ映像として再生しても２Ｄ用ストリームの再生と画質面で同じとなるからである。
【産業上の利用可能性】
【０２６１】
本発明は、２Ｄ番組及び３Ｄ番組からなるサイマル放送を送信する装置、及び当該サイマル放送を受信し、再生する装置に適用することができる。
【符号の説明】
【０２６２】
１０    番組配信システム
１００    送信装置
１０１    ３Ｄ用ビデオエンコーダ
１０２    ２Ｄ用ビデオエンコーダ
１０３    オーディオエンコーダ
１０４    ３Ｄ用ビデオストリーム格納部
１０５    ２Ｄ用ビデオストリーム格納部
１０６    オーディオストリーム格納部
１０７    多重化部
１０８    送信部
１０９    番組配列情報格納部
２００    デジタルテレビ（受信再生装置）
２０１    チューナ
２０２    多重分離部
２０３    番組情報管理部
２０４    番組表構成部
２０５    映像デコード部
２０６    音声デコード部
２０７    映像表示処理部
２０８    表示部
２１１    ＰＳＩ／ＳＩ解析部
２１２    番組情報ＤＢ
２１３    選択番組解析部
【図１】
0005981915.tif 000002
【図２】
0005981915.tif 000003
【図３】
0005981915.tif 000004
【図４】
0005981915.tif 000005
【図５】
0005981915.tif 000006
【図６】
0005981915.tif 000007
【図７】
0005981915.tif 000008
【図８】
0005981915.tif 000009
【図９】
0005981915.tif 000010
【図１０】
0005981915.tif 000011
【図１１】
0005981915.tif 000012
【図１２】
0005981915.tif 000013
【図１３】
0005981915.tif 000014
【図１４】
0005981915.tif 000015
【図１５】
0005981915.tif 000016
【図１６】
0005981915.tif 000017
【図１７】
0005981915.tif 000018